【事件の表示】
　特許第６６２６３８７号発明「皮膚用乳化組成物」の特許異議申立事件について、次のとおり決定する。
【結　論】
　特許第６６２６３８７号の特許請求の範囲を、訂正請求書に添付された訂正特許請求の範囲のとおり、訂正後の請求項［１−１０］について訂正することを認める。
　特許第６６２６３８７号の請求項６〜１０に係る特許を維持する。
　特許第６６２６３８７号の請求項１〜５に係る特許についての特許異議の申立てを却下する。
【理　由】
第１　手続の経緯
　特許第６６２６３８７号の請求項１〜１０に係る特許についての出願は、平成２８年　３月２９日に出願され、令和　１年１２月６日にその特許権の設定登録がされ、同年１２月２５日に特許掲載公報が発行された。
　その特許についての本件特許異議の申立ての経緯は、次のとおりである。
　　令和　２年　６月２５日差出：特許異議申立人　山下　桂（以下、「申立人」という。）による特許異議の申し立て
　　同　　　年１０月　１日付け：取消理由通知書
　　同　　　年１２月　２日差出：特許権者による意見書及び訂正請求書
　　令和　３年　１月１８日差出：申立人による意見書
第２　訂正の適否
１　訂正の内容
　上記令和　２年１２月　２日差出の訂正請求書による訂正（以下、「本件訂正」という。）は、一群の請求項である請求項１〜６からなる本件特許請求の範囲を、上記訂正請求書に添付した訂正特許請求の範囲のとおり訂正することを求めるものであって、その具体的訂正事項は次のとおりである。（下線は、訂正箇所を表す。）
（１）訂正事項１
　特許請求の範囲の請求項１を削除する。
（２）訂正事項２
　特許請求の範囲の請求項２を削除する。
（３）訂正事項３
　特許請求の範囲の請求項３を削除する。
（４）訂正事項４
　特許請求の範囲の請求項４を削除する。
（５）訂正事項５
　特許請求の範囲の請求項５を削除する。
（６）訂正事項６
　訂正前の特許請求の範囲の請求項６に「高級アルコールを含まないか、又は高級アルコールを含み且つ高級アルコールの含有量が０．５質量％以下である請求項１〜５の何れか一項に記載の皮膚用乳化組成物。」と記載されているのを、「下記成分Ａ、成分Ｂ、成分Ｃ、及び成分Ｄを含有することを特徴とする皮膚用乳化組成物であって、前記成分Ａと前記成分Ｂの質量含有比が、Ａ：Ｂ＝１：２〜１：１０であり、高級アルコールを含まないか、又は高級アルコールを含み且つ高級アルコールの含有量が０．５質量％以下である皮膚用乳化組成物。
　成分Ａ：直鎖脂肪酸と直鎖高級アルコールとのエステル油及び直鎖脂肪酸とペンタエリスリトールとのエステル油の少なくとも１種であって、室温で固形状の脂肪酸エステル油
　成分Ｂ：室温で液状であり、且つ、分岐鎖構造を有する脂肪酸エステル油
　成分Ｃ：非イオン性界面活性剤
　成分Ｄ：室温で固形状のポリエチレングリコール」に訂正する。
（７）訂正事項７
　訂正前の特許請求の範囲の請求項６の記載について、「高級アルコールを含まないか、又は高級アルコールを含み且つ高級アルコールの含有量が０．５質量％以下である請求項１〜５の何れか一項に記載の皮膚用乳化組成物。」とあるのを、訂正前の請求項２の記載を根拠に「前記成分Ａが、直鎖脂肪酸と直鎖高級アルコールとのエステル油である請求項６に記載の皮膚用乳化組成物。」と改め、新たに請求項７とする。
（８）訂正事項８
　訂正前の特許請求の範囲の請求項６の記載について、「高級アルコールを含まないか、又は高級アルコールを含み且つ高級アルコールの含有量が０．５質量％以下である請求項１〜５の何れか一項に記載の皮膚用乳化組成物。」とあるのを、訂正前の請求項３の記載を根拠に「前記成分Ｂが、分岐脂肪酸と多価アルコールのエステル油、及び／又は分岐脂肪酸と分岐高級アルコールのエステル油である請求項６又は７に記載の皮膚用乳化組成物。」と改め、新たに請求項８とする。
（９）訂正事項９
　訂正前の特許請求の範囲の請求項６の記載について、「高級アルコールを含まないか、又は高級アルコールを含み且つ高級アルコールの含有量が０．５質量％以下である請求項１〜５の何れか一項に記載の皮膚用乳化組成物。」とあるのを、訂正前の請求項４の記載を根拠に「前記成分Ａの含有量が、皮膚用乳化組成物１００質量％中、１．５〜２．５質量％であり、前記成分Ｂの含有量が、皮膚用乳化組成物１００質量％中、２．５〜１５．０質量％である請求項６〜８の何れか一項に記載の皮膚用乳化組成物。」と改め、新たに請求項９とする。
（１０）訂正事項１０
　訂正前の特許請求の範囲の請求項６の記載について、「高級アルコールを含まないか、又は高級アルコールを含み且つ高級アルコールの含有量が０．５質量％以下である請求項１〜５の何れか一項に記載の皮膚用乳化組成物。」とあるのを、訂正前の請求項５の記載を根拠に「さらに下記成分Ｅを含有することを特徴とする請求項６〜９の何れか一項に記載の皮膚用乳化組成物。
　成分Ｅ：増粘性高分子」と改め、新たに請求項１０とする。
２　訂正の目的の適否、新規事項の有無、特許請求の範囲の拡張・変更の存否
（１）訂正事項１〜５
ア　訂正の目的について
　訂正事項１〜５は、それぞれ対応する請求項１〜５を削除するものであるから、特許法第１２０条の５第２項ただし書き第１号に規定する「特許請求の範囲の減縮」を目的とするものである。
イ　実質上特許請求の範囲を拡張し、又は変更するものではないこと
　訂正事項１〜５は、それぞれ対応する請求項１〜５を削除するものであるから、実質上特許請求の範囲を拡張し、又は変更するものには該当せず、特許法第１２０条の５第９項で準用する第１２６条第６項に適合するものである。ウ　願書に最初に添付した明細書、特許請求の範囲又は図面に記載した事項の範囲内のものであること
　訂正事項１〜５は、それぞれ対応する請求項１〜５を削除するものであるから、願書に最初に添付した明細書、特許請求の範囲又は図面に記載した事項の範囲内の訂正であり、特許法第１２０条の５第９項で準用する第１２６条第５項に適合するものである。
（２）訂正事項６
ア　訂正の目的について
　訂正事項６は、訂正前の請求項６が請求項１〜５の記載を引用する記載であるところ、請求項間の請求項間の引用関係を解消して独立形式の請求項へ改めるとともに、請求項２〜５を引用しないものとするものであるから、特許法第１２０条の５第２項ただし書き第４号に規定する「他の請求項の記載を引用する請求項の記載を当該他の請求項を引用しないものとすること」、及び、特許法第１２０条の５第２項ただし書き第１号に規定する「特許請求の範囲の減縮」を目的とするものである。
イ　実質上特許請求の範囲を拡張し、又は変更するものではないこと
　訂正事項６は、訂正前の請求項６が請求項１〜５の記載を引用する記載であるところ、請求項間の請求項間の引用関係を解消して独立形式の請求項へ改めるとともに、請求項２〜５を引用しないものとするものであるから、実質上特許請求の範囲を拡張し、又は変更するものには該当せず、特許法第１２０条の５第９項で準用する第１２６条第６項に適合するものである。
ウ　願書に最初に添付した明細書、特許請求の範囲又は図面に記載した事項の範囲内のものであること
　訂正事項６は、訂正前の請求項６が請求項１〜５の記載を引用する記載であるところ、請求項間の請求項間の引用関係を解消して、独立形式の請求項へ改めるとともに、請求項２〜５を引用しないものとするものであるから、願書に最初に添付した明細書、特許請求の範囲又は図面に記載した事項の範囲内の訂正であり、特許法第１２０条の５第９項で準用する第１２６条第５項に適合するものである。
（３）訂正事項７
ア　訂正の目的について
　訂正事項７は、訂正前の請求項６が請求項１〜５の記載を引用する記載であるところ、請求項２のみを引用するものとして、請求項の引用請求項数を減少した発明の記載とし、かつ、上記（１）、（２）の訂正事項２、６に伴い、訂正後の請求項６を引用する引用形式の請求項７として書き改めたものといえるから、特許法第１２０条の５第２項ただし書き第１号に規定する「特許請求の範囲の減縮」を目的とするものである。
イ　実質上特許請求の範囲を拡張し、又は変更するものではないこと
　訂正事項７は、上記アのとおり、実質的な内容を変更するものではないから、実質上特許請求の範囲を拡張し、又は変更するものには該当せず、特許法第１２０条の５第９項で準用する第１２６条第６項に適合するものである。
ウ　願書に最初に添付した明細書、特許請求の範囲又は図面に記載した事項の範囲内のものであること
　訂正事項７は、上記アのとおり、実質的な内容を変更するものではないから、願書に最初に添付した明細書、特許請求の範囲又は図面に記載した事項の範囲内の訂正であり、特許法第１２０条の５第９項で準用する第１２６条第５項に適合するものである。
（４）訂正事項８
ア　訂正の目的について
　訂正事項８は、訂正前の請求項６が請求項１〜５の記載を引用する記載であるところ、請求項３のみを引用するものとして、請求項の引用請求項数を減少した発明の記載とし、かつ、上記（１）〜（３）の訂正事項３、６、７に伴い、訂正後の請求項６又は７を引用する引用形式の請求項８として書き改めたものといえるから、特許法第１２０条の５第２項ただし書き第１号に規定する「特許請求の範囲の減縮」を目的とするものである。
イ　実質上特許請求の範囲を拡張し、又は変更するものではないこと
　訂正事項８は、上記アのとおり、実質的な内容を変更するものではないから、実質上特許請求の範囲を拡張し、又は変更するものには該当せず、特許法第１２０条の５第９項で準用する第１２６条第６項に適合するものである。
ウ　願書に最初に添付した明細書、特許請求の範囲又は図面に記載した事項の範囲内のものであること
　訂正事項８は、上記アのとおり、実質的な内容を変更するものではないから、願書に最初に添付した明細書、特許請求の範囲又は図面に記載した事項の範囲内の訂正であり、特許法第１２０条の５第９項で準用する第１２６条第５項に適合するものである。
（５）訂正事項９
ア　訂正の目的について
　訂正事項９は、訂正前の請求項６が請求項１〜５の記載を引用する記載であるところ、請求項４のみを引用するものとして、請求項の引用請求項数を減少した発明の記載とし、かつ、上記（１）〜（４）の訂正事項４、６〜８に伴い、訂正後の請求項６〜８の何れか一項を引用する引用形式の請求項９として書き改めたものといえるから、特許法第１２０条の５第２項ただし書き第１号に規定する「特許請求の範囲の減縮」を目的とするものである。
イ　実質上特許請求の範囲を拡張し、又は変更するものではないこと
　訂正事項９は、上記アのとおり、実質的な内容を変更するものではないから、実質上特許請求の範囲を拡張し、又は変更するものには該当せず、特許法第１２０条の５第９項で準用する第１２６条第６項に適合するものである。
ウ　願書に最初に添付した明細書、特許請求の範囲又は図面に記載した事項の範囲内のものであること
　訂正事項９は、上記アのとおり、実質的な内容を変更するものではないから、願書に最初に添付した明細書、特許請求の範囲又は図面に記載した事項の範囲内の訂正であり、特許法第１２０条の５第９項で準用する第１２６条第５項に適合するものである。
（６）訂正事項１０
ア　訂正の目的について
　訂正事項８は、訂正前の請求項６が請求項１〜５の記載を引用する記載であるところ、請求項５のみを引用するものとして、請求項の引用請求項数を減少した発明の記載とし、かつ、上記（１）〜（５）の訂正事項５、６〜９に伴い、訂正後の請求項６〜９の何れか一項を引用する引用形式の請求項１０として書き改めたものといえるから、特許法第１２０条の５第２項ただし書き第１号に規定する「特許請求の範囲の減縮」を目的とするものである。
イ　実質上特許請求の範囲を拡張し、又は変更するものではないこと
　訂正事項１０は、上記アのとおり、実質的な内容を変更するものではないから、実質上特許請求の範囲を拡張し、又は変更するものには該当せず、特許法第１２０条の５第９項で準用する第１２６条第６項に適合するものである。
ウ　願書に最初に添付した明細書、特許請求の範囲又は図面に記載した事項の範囲内のものであること
　訂正事項１０は、上記アのとおり、実質的な内容を変更するものではないから、願書に最初に添付した明細書、特許請求の範囲又は図面に記載した事項の範囲内の訂正であり、特許法第１２０条の５第９項で準用する第１２６条第５項に適合するものである。
３　小括
　以上のとおり、訂正事項１〜１０は、特許法第１２０条の５第２項ただし書各号に掲げる事項を目的とするものであり、かつ、同条第９項で準用する同法第１２６条第５項及び第６項の規定に適合するものである。
　したがって、特許請求の範囲を、訂正請求書に添付された訂正特許請求の範囲のとおり、訂正後の請求項［１−１０］について訂正することを認める。
第３　訂正後の本件発明
　本件訂正によって訂正された請求項６〜１０に係る発明（以下、「本件発明６〜１０」といい、これらを総称して「本件発明」ともいう。）は、令和　２年１２月　２日差出の訂正請求書に添付された訂正特許請求の範囲の請求項６〜１０に記載された次の事項により特定されるとおりのものである。
【請求項１】
（削除）
【請求項２】
（削除）
【請求項３】
（削除）
【請求項４】
（削除）
【請求項５】
（削除）
【請求項６】
　下記成分Ａ、成分Ｂ、成分Ｃ、及び成分Ｄを含有することを特徴とする皮膚用乳化組成物であって、
　前記成分Ａと前記成分Ｂの質量含有比が、Ａ：Ｂ＝１：２〜１：１０であり、
　高級アルコールを含まないか、又は高級アルコールを含み且つ高級アルコールの含有量が０．５質量％以下である皮膚用乳化組成物。
　成分Ａ：直鎖脂肪酸と直鎖高級アルコールとのエステル油及び直鎖脂肪酸とペンタエリスリトールとのエステル油の少なくとも１種であって、室温で固形状の脂肪酸エステル油
　成分Ｂ：室温で液状であり、且つ、分岐鎖構造を有する脂肪酸エステル油
　成分Ｃ：非イオン性界面活性剤
　成分Ｄ：室温で固形状のポリエチレングリコール
【請求項７】
　前記成分Ａが、直鎖脂肪酸と直鎖高級アルコールとのエステル油である請求項６に記載の皮膚用乳化組成物。
【請求項８】
　前記成分Ｂが、分岐脂肪酸と多価アルコールのエステル油、及び／又は分岐脂肪酸と分岐高級アルコールのエステル油である請求項６又は７に記載の皮膚用乳化組成物。
【請求項９】
　前記成分Ａの含有量が、皮膚用乳化組成物１００質量％中、１．５〜２．５質量％であり、前記成分Ｂの含有量が、皮膚用乳化組成物１００質量％中、２．５〜１５．０質量％である請求項６〜８の何れか一項に記載の皮膚用乳化組成物。
【請求項１０】
　さらに下記成分Ｅを含有することを特徴とする請求項６〜９の何れか一項に記載の皮膚用乳化組成物。
　成分Ｅ：増粘性高分子
第４　取消理由の概要及び特許異議申立理由の概要 
１　令和　２年１０月　１日付け取消理由通知に記載した取消理由の概要
　本件訂正前の請求項１〜６に係る特許に対して、当審が令和　２年１０月　１日付けで特許権者に通知した取消理由の要旨は、次のとおりである。
（１）「引用文献１に記載された発明を主引用とする場合」（引用発明１）
　本件発明１、２、５は、引用文献１に記載された発明であるか、あるいは、引用文献１に記載された発明に基づいて当業者が容易に発明をすることができたものであり、これらの発明に係る特許は、特許法第２９条第１項第３号に該当し、あるいは、同法同条第２項の規定により、特許を受けることができないものであるから、同法第１１３条第２号に該当し、取り消すべきものである。
　また、本件発明４は、引用文献１に記載された発明に基づいて当業者が容易に発明をすることができたものであり、この発明に係る特許は、特許法第２９条第２項の規定により、特許を受けることができないものであるから、同法第１１３条第２号に該当し、取り消すべきものである。
（２）「引用文献２に記載された発明を主引用とする場合」（引用発明２）
　本件発明１、２は、引用文献２に記載された発明であるか、あるいは、引用文献２に記載された発明に基づいて当業者が容易に発明をすることができたものであり、これらの発明に係る特許は、特許法第２９条第１項第３号に該当し、あるいは、同法同条第２項の規定により、特許を受けることができないものであるから、同法第１１３条第２号に該当し、取り消すべきものである。
　また、本件発明３〜５は、引用文献２に記載された発明に基づいて当業者が容易に発明をすることができたものであり、これらの発明に係る特許は、特許法第２９条第２項の規定により、特許を受けることができないものであるから、同法第１１３条第２号に該当し、取り消すべきものである。
（３）「引用文献３に記載された発明を主引用とする場合」（引用発明３）
　本件発明１、２は、引用文献３に記載された発明であるか、あるいは、引用文献３に記載された発明に基づいて当業者が容易に発明をすることができたものであり、これらの発明に係る特許は、特許法第２９条第１項第３号に該当し、あるいは、同法同条第２項の規定により、特許を受けることができないものであるから、同法第１１３条第２号に該当し、取り消すべきものである。
　また、本件発明３〜５は、引用文献３に記載された発明に基づいて当業者が容易に発明をすることができたものであり、これらの発明に係る特許は、特許法第２９条第２項の規定により、特許を受けることができないものであるから、同法第１１３条第２号に該当し、取り消すべきものである。
（４）「引用文献４に記載された発明を主引用とする場合」（引用発明４）
　本件発明１、２、５は、引用文献４に記載された発明であるか、あるいは、引用文献４に記載された発明に基づいて当業者が容易に発明をすることができたものであり、これらの発明に係る特許は、特許法第２９条第１項第３号に該当し、あるいは、同法同条第２項の規定により、特許を受けることができないものであるから、同法第１１３条第２号に該当し、取り消すべきものである。
　また、本件発明４は、引用文献４に記載された発明に基づいて当業者が容易に発明をすることができたものであり、この発明に係る特許は、特許法第２９条第２項の規定により、特許を受けることができないものであるから、同法第１１３条第２号に該当し、取り消すべきものである。
（５）「引用文献５に記載された発明を主引用とする場合」（引用発明５）
　本件発明１、２、５は、引用文献５に記載された発明であるか、あるいは、引用文献５に記載された発明に基づいて当業者が容易に発明をすることができたものであり、これらの発明に係る特許は、特許法第２９条第１項第３号に該当し、あるいは、同法同条第２項の規定により、特許を受けることができないものであるから、同法第１１３条第２号に該当し、取り消すべきものである。
　また、本件発明４は、引用文献５に記載された発明に基づいて当業者が容易に発明をすることができたものであり、この発明に係る特許は、特許法第２９条第２項の規定により、特許を受けることができないものであるから、同法第１１３条第２号に該当し、取り消すべきものである。
（６）「引用文献６に記載された発明を主引用とする場合」（引用発明６）
　本件発明１〜５は、引用文献６に記載された発明及び引用文献１〜５に記載された事項に基づいて当業者が容易に発明をすることができたものであり、この発明に係る特許は、特許法第２９条第２項の規定により、特許を受けることができないものであるから、同法第１１３条第２号に該当し、取り消すべきものである。
（７）引用文献
引用文献１　特開２００３−２７７２２０号公報（申立人により提出された甲第１号証（以下、「甲１」という。他の甲号証についても同様。）
引用文献２　特開２００３−０９５８４２号公報（甲３）
引用文献３　特開２００３−０９５８４１号公報（甲４）
引用文献４　特開２００９−２９８７２８号公報（甲５）
引用文献５　特開２００９−２４９３６６号公報（甲６）
引用文献６　特開２００７−１５３７７１号公報（甲２）
引用文献７　油脂化学便覧、（１９６５年）、第３版、p.34（甲７）
引用文献８　特開２０１４−０６２０５６号公報（甲９））
引用文献９　医薬部外品原料規格２００６、（２００６年）、第１刷、pp.1384、1387（甲８）
）
２　申立理由の概要
　申立人は、以下の理由により、本件特許を取り消すべきものである旨主張する。
（１）申立理由１（特許法第２９条第１項第３号）　
ア　本件発明１、２、４、５は、甲１に記載された発明であり、特許法第２９条第１項第３号に該当するから、これらの発明に係る特許は、同法第１１３条第２号に該当する。
イ　本件発明１〜３、５は、甲２に記載された発明であり、特許法第２９条第１項第３号に該当するから、これらの発明に係る特許は、同法第１１３条第２号に該当する。
ウ　本件発明１、２は、甲３に記載された発明とあり、特許法第２９条第１項第３号に該当するから、これらの発明係る特許は、同法第１１３条第２号に該当する。
エ　本件発明１、２は、甲４に記載された発明と同一であり、特許法第２９条第１項第３号に該当するものであるから、これらの発明に係る特許は、同法第１１３条第２号に該当する。
（２）申立理由２（特許法第２９条第２項）　　　　
ア　本件発明１〜６は、甲１に記載された発明、甲１に記載された事項及び本件特許出願時の周知慣用技術に基づいて当業者が容易に発明をすることができたものであり、この発明に係る特許は、特許法第２９条第２項の規定により、特許を受けることができないものであるから、同法第１１３条第２号に該当し、取り消すべきものである。
イ　本件発明１〜６は、甲２に記載された発明、甲２に記載された事項及び本件特許出願時の周知慣用技術に基づいて当業者が容易に発明をすることができたものであり、この発明に係る特許は、特許法第２９条第２項の規定により、特許を受けることができないものであるから、同法第１１３条第２号に該当し、取り消すべきものである。
ウ　本件発明１〜６は、甲３に記載された発明、甲３に記載された事項及び本件特許出願時の周知慣用技術に基づいて当業者が容易に発明をすることができたものであり、これらの発明に係る特許は、特許法第２９条第２項の規定により、特許を受けることができないものであるから、同法第１１３条第２号に該当し、取り消すべきものである。
エ　本件発明１〜６は、甲４に記載された発明、甲４に記載された事項及び本件特許出願時の周知慣用技術に基づいて当業者が容易に発明をすることができたものであり、これらの発明に係る特許は、特許法第２９条第２項の規定により、特許を受けることができないものであるから、同法第１１３条第２号に該当し、取り消すべきものである。
オ　本件発明１〜６は、甲５に記載された発明、甲５に記載された事項及び本件特許出願時の周知慣用技術に基づいて当業者が容易に発明をすることができたものであり、これらの発明に係る特許は、特許法第２９条第２項の規定により、特許を受けることができないものであるから、同法第１１３条第２号に該当し、取り消すべきものである。
カ　本件発明１〜６は、甲６に記載された発明、甲６に記載された事項及び本件特許出願時の周知慣用技術に基づいて当業者が容易に発明をすることができたものであり、これらの発明に係る特許は、特許法第２９条第２項の規定により、特許を受けることができないものであるから、同法第１１３条第２号に該当し、取り消すべきものである。
（３）申立理由３（特許法第３６条第６項第１号）及び申立理由４（特許法第３６条第４項第１号）
　本件発明１〜６は、発明の詳細な説明に記載されたものではなく、本件発明１〜６についての特許は、特許法第３６条第６項第１号に規定する要件を満たしていない特許出願に対してされたものであるから、同法第１１３条第４号に該当し、取り消すべきものである。
　また、本件の発明の詳細な説明の記載は、当業者がその実施をすることができる程度に明確かつ十分に記載されておらず、本件発明１〜６についての特許は、特許法第３６条第４項第１号に規定する要件を満たしていない特許出願に対してされたものであるから、同法第１１３条第４号に該当し、取り消すべきものである。
（４）申立理由５（特許法第３６条第６項第２号）
　本件の特許請求の範囲の記載には不備があり、本件発明１〜６についての特許は、特許法第３６条第６項第２号に規定する要件を満たしていない特許出願に対してされたものであるから、同法第１１３条第４号に該当し、取り消すべきものである。
　　　　　
（５）証拠方法
甲１：特開２００３−２７７２２０号公報
甲２：特開２００７−１５３７７１号公報
甲３：特開２００３−９５８４２号公報
甲４：特開２０１１−０５１９４４号公報
甲５：特開２００９−２９８７２８号公報
甲６：特開２００９−２４９３６６号公報
甲７：「油脂化学便覧」、第３版、p．３３〜３４
甲８：「医薬部外品原料規格２００６」、第１刷、p．１３７８〜１３８７
甲９：特開２０１４−６２０５６号公報
甲１０：特開２０１２−１０２０６０号公報
第５　当審の判断
　請求項１〜５に係る発明は、上記第２のとおり削除されているから、請求項６に係る発明、及び、請求項６に係る発明についてさらに訂正前の請求項２〜５に対応する発明特定事項によりそれぞれ特定された請求項７〜１０に係る発明について判断する。
　取消理由通知に記載した取消理由、特許異議申立ての理由の順で、当審の判断を示す。
１　取消理由通知に記載した取消理由１（特許法第２９条第１項第３号）及び取消理由２（特許法第２９条第２項）について
（１）引用文献に記載された事項
ア　引用文献１の記載
（ア）「【請求項１】 （Ａ）グリセリンモノ脂肪酸エステル、（Ｂ）微生物由来のリポペプチド類、及び（Ｃ）２５℃で液状の高級脂肪酸を含有することを特徴とする乳化型皮膚外用剤。」
（イ）「【０００３】
【発明が解決しようとする問題点】しかしながら、グリセリンモノ脂肪酸エステルは製剤中で結晶化することが多く、且つ多量に製剤中に配合した場合、粘度を著しく上昇させる。ゆえに、強く望まれているにもかかわらず、グリセリンモノ脂肪酸エステルを多量に配合しながら、幅広い粘度領域（乳液状〜クリーム状〜固形状）の製剤を調製すること、そして優れた保存安定性を得ることは非常に困難であった。
【０００４】
【発明が解決しようとする課題】かかる事情に鑑み、本発明は、グリセリンモノ脂肪酸エステルを多量に含有しながら幅広い粘度領域を持ち、且つ保存安定性に優れた乳化型皮膚外用剤を提供することを目的とする。
【０００５】
【課題を解決するための手段】本発明者等は、種々検討の結果、グリセリンモノ脂肪酸エステルを含有する乳化型皮膚外用剤において、微生物由来のリポペプチド類及び２５℃で液状の高級脂肪酸を配合することにより、上記目的が達成されることを見出し、本発明を完成した。
【０００６】すなわち本発明の請求項１は、（Ａ）グリセリンモノ脂肪酸エステル、（Ｂ）微生物由来のリポペプチド類、及び（Ｃ）２５℃で液状の高級脂肪酸を含有することを特徴とする乳化型皮膚外用剤である。
【０００７】また本発明の請求項２は、（Ｃ）２５℃で液状の高級脂肪酸が分岐脂肪酸であることを特徴とする請求項１記載の乳化型皮膚外用剤である。」
（ウ）「【００１５】尚、本発明の乳化型皮膚外用剤には上記の必須成分の他に、本発明の目的を達成する範囲で他の成分、例えば、デカメチルシクロペンタシロキサン、オクタメチルシクロテトラシロキサン、メチルフェニルポリシロキサン、ジメチルポリシロキサン等のシリコーン油、パラフィン、ワセリン等の炭化水素類、オリーブスクワラン、米スクワラン、米糠油、オリーブ油、大豆油、米胚芽油、ホホバ油、ヒマシ油、紅花油、ヒマワリ油、マカデミアナッツ油等の植物油、ミツロウ、モクロウ、カルナウバロウ等のロウ類、ミリスチン酸オクチルドデシル、パルミチン酸セチル等のエステル油、セタノール、ベヘニルアルコール、ステアリルアルコール、イソステアリルアルコール等の高級アルコール類、コレステロール、フィトステロール等のステロール類、分岐脂肪酸コレステロールエステル、マカデミアナッツ油脂肪酸フィトステロールエステル等のステロール脂肪酸エステル類、セチル硫酸ナトリウム、Ｎ−ステアロイル−Ｌ−グルタミン酸塩等の陰イオン界面活性剤、ポリオキシエチレンアルキルエーテル、ポリオキシエチレン脂肪酸エステル、ポリオキシエチレン多価アルコール脂肪酸エステル、ポリオキシエチレン硬化ヒマシ油、多価アルコール脂肪酸エステル、ポリグリセリン脂肪酸エステル、蔗糖脂肪酸エステル等の非イオン界面活性剤、テトラアルキルアンモニウム塩等の陽イオン界面活性剤、ベタイン型、スルホベタイン型、スルホアミノ酸型等の両性界面活性剤、レシチン、水素添加レシチン、リゾフォスファチジルコリン、セラミド、セレブロシド等の天然系界面活性剤、ポリエーテル変性シリコーン、アミノ変性シリコーン等のシリコーン系界面活性剤、硬化油等の加工油類、トリイソステアリン酸グリセリル、トリ（カプリル・カプリン酸）グリセリル、トリ２−エチルヘキサン酸グリセリル等のトリグリセリド、タール系色素、酸化鉄等の着色顔料、パラベン、フェノキシエタノール等の防腐剤、酸化チタン、酸化亜鉛等の顔料、ジブチルヒドロキシトルエン、デヒドロジクレオソール等の抗酸化剤、エタノール等の一級アルコール、塩化ナトリウム、塩化マグネシウム、硫酸ナトリウム、硝酸カリウム、珪酸ナトリウム等の無機塩類、琥珀酸ナトリウム、アスパラギン酸ナトリウム等の有機酸塩類、塩酸エタノールアミン、硝酸アンモニウム、塩酸アルギニン、燐酸塩、クエン酸塩、酢酸塩、炭酸塩、トリスヒドロキシメチルアミノメタン塩酸塩、ジイソプロピルアミンジクロロ酢酸塩等の塩類、カルボキシビニルポリマー、キサンタンガム、カラギーナン、ペクチン、アルキル変性カルボキシビニルポリマー等の増粘剤、エデト酸等のキレート剤、水酸化カリウム、ジイソプロパノールアミン、トリエタノールアミン等の中和剤、ジプロピレングリコール、１，３−ブチレングリコール、グリセリン、プロピレングリコール、ソルビトール、マルチトール、ジグリセリン、アセチルグルコサミン等の多価アルコール、乳酸等のヒドロキシ酸、ヒアルロン酸、コラーゲン、シルク蛋白等の生体高分子、乳酸菌、酵母等の培養生成物、カミツレ、センブリ、アロエ、モモ、カロット、スギナ、クワ、桃の葉、セージ、ビワ葉、キュウカンバー、セイヨウキズタ、ハイビスカス、ウコン、ローズマリー、オウゴン、チョウジ、フェンネル、プルーン、甘草等の植物エキス、セリン、スレオニン、Ｎ−メチルグリシン、Ｎ−メチル−ｌ−セリン、アミノ酪酸、ヒドロキシアミノ酪酸等のアミノ酸類、ヒドロキシメトキシベンゾフェノンスルフォン酸塩等の紫外線吸収剤、ビタミンＡ類、Ｂ類、Ｃ類、Ｅ類等のビタミン類、グリチルリチン酸塩、香料等を用いることができるがこれに限定されるものではない。」
（エ）「【００２８】
【実施例】以下、実施例及び比較例により詳細に説明するが、本発明はこれら実施例に限定されるものではない。尚、組成の単位は全て質量％である。」
（引用文献等については引用文献等一覧参照）
（オ）「【００２９】実施例７〜９ (乳液）
下記の組成及び調製法に従い乳液を調製し、前記の試験を実施した。
【００３０】
（１）組成
　　　　　　　　　　　　　　　　　　　　実施例７　実施例８　実施例９
成分ａ
イソステアリン酸　　　　　　　　　　　　１．０　　１．０　　３．０
モノステアリン酸グリセリン　　　　　　　４．０　　４．０　　４．０
ベヘニルアルコール　　　　　　　　　　　２．０　　２．０　　２．０
サラシミツロウ　　　　　　　　　　　　　１．０　　１．０　　　−
ミリスチン酸セチル　　　　　　　　　　　１．０　　１．０　　１．０
セスキオレイン酸ソルビタン　　　　　　　１．０　　１．０　　１．０
長鎖分岐脂肪酸コレステリル＊１　　　　　０．１　　０．１　　０．１
水素添加レシチン　　　　　　　　　　　　０．１　　０．１　　０．１
植物スクワラン　　　　　　　　　　　　　５．０　　５．０　　５．０
ミリスチン酸オクチルドデシル　　　　　　５．０　　５．０　　５．０
成分ｂ
サーファクチンナトリウム　　　　　　　　０．１　　１．０　　０．１
１，３−ブチレングリコール　　　　　　　５．０　１０．０　　０．５
ソルビトール液　　　　　　　　　　　　　５．０　　５．０　　５．０
ポリエチレングリコール４０００　　　　　０．２　　０．２　　０．２
カルボキシビニルポリマー　　　　　　　　０．１　　０．１　　０．１
パラオキシ安息香酸メチル　　　　　　　　０．２　　０．２　　０．２
メバロノラクトン　　　　　　　　　　　　０．１　　０．１　　０．１
エデト酸二ナトリウム　　　　　　　　　　０．２　　０．２　　０．２
ラズベリーケトングルコシド　　　　　　　０．０５　０．０５　０．０５
塩化ナトリウム　　　　　　　　　　　　　０．１　　０．１ 　 ０．１
ジプロピレングリコール　　　　　　　　　０．１　　０．１　　０．１
濃グリセリン　　　　　　　　　　　　　　５．０　　５．０　　５．０
ラフィノース　　　　　　　　　　　　　　０．１　　０．１　　０．１
アスコルビン酸２−グルコシド　　　　　　０．１　　０．１　　０．１
カルボキシメチルセルロース　　　　　　　０．０５　０．０５　０．０５
精製水　　　　　　　　　　　　　　　　　残　量　　残　量　　残　量
＊１ 商品名：ＹＯＦＣＯ ＣＬＥ−ＮＨ（日本精化社製）
【００３１】（２）調製法
成分ａ及び成分ｂを各々８０℃で溶解した後混合して、攪拌しつつ冷却し、３０℃まで冷却して、乳液を調製した。
【００３２】（３）結果
実施例７〜９に係る乳液は優れた保存安定性が認められた。」
イ　引用文献２の記載
（ア）「【請求項１】 一般式（１）：【化１】
［式中、Ｒ１、Ｒ２及びＲ３は同一または異なって水素原子、ヒドロキシル基、もしくは炭素数１〜４の直鎖もしくは分岐鎖のアルコキシル基を示すが、またはＲ１、Ｒ２及びＲ３のうち２個が一緒になってα−メチレンジオキシ基を形成してもよい。ただし、Ｒ１、Ｒ２及びＲ３が同時に水素原子になることはない。Ｘは−Ｏ−(Ｒ４)ｎ−Ｒ５又は−ＮＨＣＯＲ６を示す。ｎ個のＲ４は同一または異なって−ＣＨ２ＣＨ２Ｏ−、−ＣＨ２ＣＨ（ＣＨ３）Ｏ−、または−ＣＨ（ＣＨ３）ＣＨ２Ｏ−を示し、ｎは０〜３の整数を示す。Ｒ５は炭素数１〜６の直鎖または分岐鎖のアルキル基を示す。Ｒ６は炭素数６〜１０の直鎖または分岐鎖のアルキル基またはアルケニル基を示す。］で表わされる成分の少なくとも１つと水を含有し、その水の配合量が化粧料全体の０．５重量％以上６０重量％以下であり、かつ化粧料のｐＨが４．０〜８．０である化粧料。」
（イ）「【０００３】
【発明が解決しようとする課題】従って本発明の目的は、特定温感剤の経時安定性に優れた化粧料を提供することにある。
【０００４】
【課題を解決するための手段】かかる実情において、本発明者らは鋭意研究を重ねた結果、特定温感剤の少なくとも１つと水を含有し、その水の配合量が化粧料全体の０．５重量％以上６０重量％以下であり、かつ化粧料のｐＨが４．０〜８．０に調整すれば、温感剤の経時安定性に優れた化粧料が得られることを見出し、本発明を完成した。」
（ウ）「【００１５】本発明では効果を損なわない範囲で周知の成分を配合することができる。周知の成分としては、油性成分（アボカド油、アルモンド油、オリーブ油、グレープシード油、月見草油、ツバキ油、サザンカ油、マカデミアナッツ油、メドフォーム油、シアバター、卵黄油、馬脂等の油脂類、ホホバ油、カルナウバロウ、キャンデリラロウ、ラノリン、ミツロウ等のロウ類、オゾケライト、流動パラフィン、スクワレン、ワセリン等の炭化水素類、パルミチン酸、ステアリン酸、ベヘニン酸、オレイン酸等の高級脂肪酸類、イソステアリルアルコール、オクチルドデカノール、コレステロール、フィトステロール、セタノール、オレイルアルコール等の高級アルコール類、ミリスチン酸イソプロピル、オレイン酸エチル、ステアリン酸オクチル、２−エチルヘキサン酸セチル、イソノナン酸イソノニル、パルミチン酸オクチル、ジオレイン酸エチレングリコール、トリイソステアリン酸グリセリル、乳酸セチル、アジピン酸ジイソプロピル、イソステアリン酸コレステリル等のエステル油類、ジメチルシリコーン油、メチルフェニルシリコーン油、環状ジメチルシリコーン油、アルコール変性シリコーン油、アルキル変性シリコーン油、アミノ変性シリコーン油等のシリコーン油類等）、多価アルコール（プロピレングリコール、ジプロピレングリコール、ポリプロピレングリコール、ポリエチレングリコール、グリセリン、ジグリセリン、イソプレングリコール、１，３−ブチレングリコール等）、低級アルコール（エチルアルコール、イソプロパノール等）、高分子（キサンタンガム等の天然高分子、セルロール系高分子、グアガム系高分子、デンプン系高分子、カルボキシビニルポリマーやポリビニルピロリドン等の合成高分子等）、ノニオン界面活性剤（ポリオキシエチレンアルキルエーテル、ポリオキシエチレン脂肪酸、ポリオキシエチレン脂肪酸エステル、ポリオキシエチレン硬化ヒマシ油、グリセリン脂肪酸エステル、ソルビタン脂肪酸エステル、ポリグリセリン脂肪酸エステル、ショ糖脂肪酸エステル、アルキルポリグルコシド、Ｎ−アルキルジメチルアミンオキシド、脂肪酸ジエタノールアミド等）、粉体（カオリン、無水ケイ酸、ケイ酸アルミニウムマグネシウム、タルク、マイカ、セルロース末、シルク末、デンプン、ポリエチレン末、ナイロン末、架橋ポリスチレン等）、着色剤、動植物抽出物、ビタミン、紫外線吸収剤、殺菌剤（塩化ベンザルコニウム、塩化ベンゼトニウム、イソプロピルメチルフェノール、ピロクトンオラミン、クララエキス、ジンクピリチオン、ヒノキチオール等）、防腐剤、酸化防止剤、金属イオン封鎖剤、噴射剤（ＤＭＥ，ＬＰＧ、窒素ガス、炭酸ガス等）、無機塩（塩化ナトリウム、塩化マグネシウム、硫酸マグネシウム、ボウショウ等）、薬効剤（センブリエキス、塩化カプロニウム、セファランチン、サリチル酸、イノシット、ヨウ化ニンニクエキス、レゾルシン、エストラジオール、エチニルエストラジオール、オキセンドロン等）、細胞賦活剤（パントテン酸及びその誘導体、プラセンタエキス、ビオチン、モノニトログアヤコール、感光素３０１、ウシヘマチン等）、抗炎症剤（グリチルリチン酸ジカリウム、塩酸ピリドキシン、オウゴンエキス等）、保湿剤（ピロリドンカルボン酸及びその塩、ヒアルロン酸及びその塩等）、粘度調整剤、香料等がある。」
（エ）「【００１７】
【実施例】以下、本発明を実施例および比較例により詳細に説明するが、本発明は実施例に限定されるものではない。なお、特にことわらない場合「％」は重量％を示す。」
（オ）「【００２４】
実施例１２　スキンクリーム
成分　　　　　　　　　　　　　　　　　　　　　　　　　　配合量（％）
ノニル酸バニリルアミド　　　　　　　　　　　　　　　　　０．００１
３−（ｌ−メントキシ）プロパン−１，２−ジオール　　　　１．０
ＰＯＥ(２０)ＰＯＰ(４)セチルエーテル　　　　　　　　　　１．０
ＰＯＥ(３)ラウリルエーテル硫酸ナトリウム　　　　　　　　０．２５
自己乳化型モノステアリン酸グリセリル　　　　　　　　　　１．０
ステアリン酸　　　　　　　　　　　　　　　　　　　　　　３．０
ベヘニルアルコール　　　　　　　　　　　　　　　　　　　３．０
ミツロウ　　　　　　　　　　　　　　　　　　　　　　　　３．０
スクワラン　　　　　　　　　　　　　　　　　　　　　　２０．０
２−エチルヘキサン酸セチル　　　　　　　　　　　　　　　７．０
ホホバ油　　　　　　　　　　　　　　　　　　　　　　　　５．０
ポリエチレングリコール１５００　　　　　　　　　　　　　５．０
メチルポリシロキサン（３００ｃＳｔ）　　　　　　　　　　０．２
パラベン　　　　　　　　　　　　　　　　　　　　　　　　０．１
香料　　　　　　　　　　　　　　　　　　　　　　　　　　０．１
クエン酸　　　　　　　　　　　　　　　　　　　　　　　　適量
精製水　　　　　　　　　　　　　　　　　　　　　　　　　残量
ｄｌ−ピロリドンカルボン酸ナトリウム液（５０％）　　　　１．０
合計　　　　　　　　　　　　　　　　　　　　　　　　１００．００
（ｐＨ ６．０）」
ウ　引用文献３の記載
（ア）「【請求項１】 一般式（１）：
【化１】
［式中、Ｒ１、Ｒ２及びＲ３は同一または異なって水素原子、ヒドロキシル基、もしくは炭素数１〜４の直鎖もしくは分岐鎖のアルコキシル基を示すが、またはＲ１、Ｒ２及びＲ３のうち２個が一緒になってα−メチレンジオキシ基を形成してもよい。ただし、Ｒ１、Ｒ２及びＲ３が同時に水素原子になることはない。Ｘは−Ｏ−(Ｒ４)ｎ−Ｒ５又は−ＮＨＣＯＲ６を示す。ｎ個のＲ４は同一または異なって−ＣＨ２ＣＨ２Ｏ−、−ＣＨ２ＣＨ（ＣＨ３）Ｏ−、または−ＣＨ（ＣＨ３）ＣＨ２Ｏ−を示し、ｎは０〜３の整数を示す。Ｒ５は炭素数１〜６の直鎖または分岐鎖のアルキル基を示す。Ｒ６は炭素数６〜１０の直鎖または分岐鎖のアルケニル基を示す。］で表わされる成分の少なくとも１つと、ノニル酸バニリルアミドを含有することを特徴とする化粧料。」
（イ）「【０００３】
【発明が解決しようとする課題】従って本発明の目的は、温感の持続性に優れた化粧料を提供することにある。
【０００４】
【課題を解決するための手段】かかる実情において、本発明者らは鋭意研究を重ねた結果、特定の温感剤群での組合せを活用すると、温感の持続性に優れた化粧料が得られることを見出し、本発明を完成した。」
（ウ）「【００１１】本発明では効果を損なわない範囲で周知の成分を配合することができる。周知の成分としては、油性成分（アボカド油、アルモンド油、オリーブ油、グレープシード油、月見草油、ツバキ油、サザンカ油、マカデミアナッツ油、メドフォーム油、シアバター、卵黄油、馬脂等の油脂類、ホホバ油、カルナウバロウ、キャンデリラロウ、ラノリン、ミツロウ等のロウ類、オゾケライト、流動パラフィン、スクワレン、ワセリン等の炭化水素類、パルミチン酸、ステアリン酸、ベヘニン酸、オレイン酸等の高級脂肪酸類、イソステアリルアルコール、オクチルドデカノール、コレステロール、フィトステロール、セタノール、オレイルアルコール等の高級アルコール類、ミリスチン酸イソプロピル、オレイン酸エチル、ステアリン酸オクチル、２−エチルヘキサン酸セチル、イソノナン酸イソノニル、パルミチン酸オクチル、ジオレイン酸エチレングリコール、トリイソステアリン酸グリセリル、乳酸セチル、アジピン酸ジイソプロピル、イソステアリン酸コレステリル等のエステル油類、ジメチルシリコーン油、メチルフェニルシリコーン油、環状ジメチルシリコーン油、アルコール変性シリコーン油、アルキル変性シリコーン油、アミノ変性シリコーン油等のシリコーン油類等）、多価アルコール（プロピレングリコール、ジプロピレングリコール、ポリプロピレングリコール、ポリエチレングリコール、グリセリン、ジグリセリン、イソプレングリコール、１，３−ブチレングリコール等）、低級アルコール（エチルアルコール、イソプロパノール等）、高分子（キサンタンガム等の天然高分子、セルロール系高分子、グアガム系高分子、デンプン系高分子、カルボキシビニルポリマーやポリビニルピロリドン等の合成高分子等）、アニオン界面活性剤（脂肪酸塩、アルキルエーテルカルボン酸塩、Ｎ−アシルサルコシン塩、Ｎ−アシルグルタミン酸塩、Ｎ−アシルメチルアラニン塩、Ｎ−アシルメチルタウリン塩、アルキルスルホコハク酸塩、アシルイセチオン酸塩、アルキル硫酸エステル塩、アルキルエーテル硫酸エステル塩等）、両性界面活性剤（アミノ酢酸ベタイン型、スルホベタイン型、アミノプロピオン型）、ノニオン界面活性剤（ポリオキシエチレンアルキルエーテル、ポリオキシエチレン脂肪酸、ポリオキシエチレン脂肪酸エステル、ポリオキシエチレン硬化ヒマシ油、グリセリン脂肪酸エステル、ソルビタン脂肪酸エステル、ポリグリセリン脂肪酸エステル、ショ糖脂肪酸エステル、アルキルポリグルコシド、Ｎ−アルキルジメチルアミンオキシド、脂肪酸ジエタノールアミド等）、カチオン界面活性剤（脂肪酸アミドアミン塩、アルキル４級アンモニウム塩等）、粉体（カオリン、無水ケイ酸、ケイ酸アルミニウムマグネシウム、タルク、マイカ、セルロース末、シルク末、デンプン、ポリエチレン末、ナイロン末、架橋ポリスチレン等）、着色剤、動植物抽出物、ビタミン、紫外線吸収剤、殺菌剤（塩化ベンザルコニウム、塩化ベンゼトニウム、イソプロピルメチルフェノール、ピロクトンオラミン、クララエキス、ジンクピリチオン、ヒノキチオール等）、防腐剤、酸化防止剤、金属イオン封鎖剤、噴射剤（ＤＭＥ，ＬＰＧ、窒素ガス、炭酸ガス等）、無機塩（塩化ナトリウム、塩化マグネシウム、硫酸マグネシウム、ボウショウ等）、薬効剤（センブリエキス、塩化カプロニウム、セファランチン、サリチル酸、イノシット、ヨウ化ニンニクエキス、レゾルシン、エストラジオール、エチニルエストラジオール、オキセンドロン等）、細胞賦活剤（パントテン酸及びその誘導体、プラセンタエキス、ビオチン、モノニトログアヤコール、感光素３０１、ウシヘマチン等）、抗炎症剤（グリチルリチン酸ジカリウム、塩酸ピリドキシン等）、保湿剤（ピロリドンカルボン酸及びその塩、ヒアルロン酸及びその塩、ソルビトールやマルチトールやトレハロース等の糖類等）、冷感剤（ｌ−メントール、ハッカ油、３−（ｌ−メントキシ）プロパン−１，２−ジオール、３−ｌ−メントキシ酪酸エステル等）、アミノ酸及びその誘導体、タンパク質及びその誘導体、粘度調整剤、香料等がある。」
（エ）「【００１３】
【実施例】以下、本発明を実施例および比較例により詳細に説明するが、本発明は実施例に限定されるものではない。なお、特にことわらない場合「％」は重量％を示す。
（オ）「【００２１】
実施例２０　スキンクリーム
成分　　　　　　　　　　　　　　　　　　　　　　　　　　配合量（％）
バニリルアルコールｎ−ブチルエーテル　　　　　　　　　　０．０１
ノニル酸バニリルアミド　　　　　　　　　　　　　　　　　０．００１
ニコチン酸ベンジル　　　　　　　　　　　　　　　　　　　０．００１
ＰＯＥ(２０)ＰＯＰ(４)セチルエーテル　　　　　　　　　　１．０
ＰＯＥ(５０)硬化ヒマシ油　　　　　　　　　　　　　　　　１．０
自己乳化型モノステアリン酸グリセリル　　　　　　　　　　１．０
ステアリン酸　　　　　　　　　　　　　　　　　　　　　　３．０
ベヘニルアルコール　　　　　　　　　　　　　　　　　　　３．０
ミツロウ　　　　　　　　　　　　　　　　　　　　　　　　３．０
スクワラン　　　　　　　　　　　　　　　　　　　　　　　３．０
２−エチルヘキサン酸セチル　　　　　　　　　　　　　　　７．０
ホホバ油　　　　　　　　　　　　　　　　　　　　　　　　５．０
ポリエチレングリコール１５００　　　　　　　　　　　　　５．０
メチルポリシロキサン（３００ｃＳｔ）　　　　　　　　　　０．２
パラベン　　　　　　　　　　　　　　　　　　　　　　　　０．１
香料　　　　　　　　　　　　　　　　　　　　　　　　　　０．１
クエン酸　　　　　　　　　　　　　　　　　　　　　　　　適量
精製水　　　　　　　　　　　　　　　　　　　　　　　　　残量
合計　　　　　　　　　　　　　　　　　　　　　　　　１００．００
（ｐＨ ６．０）」
エ　引用文献４の記載
（ア）「【請求項１】
クルミ科クルミ属植物の種皮の抽出物を有効成分とする細胞賦活剤。」
（イ）「【０００３】
　本発明は、天然物由来の成分を利用した、安全性が良好な新規な細胞賦活剤、及びそれを利用した老化防止用皮膚外用剤を提供することを課題とする。」
（ウ）「【００１３】
　本発明は、本発明の細胞賦活剤であるクルミ種皮抽出物を有効成分として含有する老化防止用皮膚外用剤にも関する。本発明の皮膚外用剤は、クルミ種皮抽出物の細胞賦活作用によって、優れた老化防止効果を奏する。本発明の皮膚外用剤中のクルミ種皮抽出物の含有量は、固形分として、好ましくは０．００００１〜２質量％（以下単に「％」で示す）であり、より好ましくは０．０００１〜１％である。この範囲内であれば、前記抽出物を安定に配合することができ、かつ高い老化防止効果を発揮することができる。」
（エ）「【００３４】
［例５：クリームの調製例］
　以下の組成のクレームを以下の方法で調製した。
（製法）
Ａ．下記成分（１）〜（１３）を加熱溶解し、７０℃に保つ。
Ｂ．下記成分（１４）〜（１８）を加熱溶解し、７０℃に保つ。
Ｃ．ＡにＢを加え乳化し、更に下記成分（１９）を加え混合する。
Ｄ．Ｃを冷却し、下記成分（２０）及び（２１）を加え混合し、乳液を得る。
（成分）　　　　　　　　　　　　　　　　　　　　　　　　　％
（１）ステアリン酸　　　　　　　　　　　　　　　　　　　２．５
（２）セタノール　　　　　　　　　　　　　　　　　　　　２．５
（３）親油型モノステアリン酸グリセリン　　　　　　　　　２．０
（４）ワセリン　　　　　　　　　　　　　　　　　　　　　２．０
（５）ジペンタエリトリット脂肪酸エステル＊１　　　　　　２．０
（６）ミリスチン酸イソトリデシル　　　　　　　　　　　　５．０
（７）流動パラフィン　　　　　　　　　　　　　　　　　　８．０
（８）スクワラン　　　　　　　　　　　　　　　　　　　　５．０
（９）ミツロウ　　　　　　　　　　　　　　　　　　　　　１．０
（１０）パルミチン酸セチル　　　　　　　　　　　　　　　２．０
（１１）セスキオレイン酸ソルビタン　　　　　　　　　　　０．５
（１２）モノオレイン酸ポリオキシエチレン（２０Ｅ．Ｏ．）ソルビタン　１．５
（１３）防腐剤　　　　　　　　　　　　　　　　　　　　　適量
（１４）トリエタノールアミン　　　　　　　　　　　　　　１．２
（１５）１，３−ブチレングリコール　　　　　　　　　　　８．０
（１６）グリセリン　　　　　　　　　　　　　　　　　　　２．０
（１７）ポリエチレングリコール２００００　　　　　　　　０．５
（１８）精製水　　　　　　　　　　　　　　　　　　　　　残量
（１９）カルボキシビニルポリマー１％水溶液　　　　　　　５．０
（２０）クルミ種皮抽出物＊２　　　　　　　　　　　　　　１．０
（２１）香料　　　　　　　　　　　　　　　　　　　　　　適量
＊１：コスモール１６８ＡＲ（日清オイリオグループ社製）
＊２ オリザ油化株式会社製 クルミポリフェノール−ＰＣ３０
【００３５】
調製したクリームは、コクのあるなめらかな使用感があり、肌のエモリエント感に優れ、キメを整え、つややはり、弾力のある美しい肌にすることができるクリームであった。」
オ　引用文献５の記載
（ア）「【請求項１】
キク科ヒヒラギギク（学名：Pluchea indica Less）の抽出物を有効成分とするコラーゲン産生促進剤。」
（イ）「【０００４】
　本発明は、安全性が良好な新規なコラーゲン産生促進剤、及び当該促進剤を有効成分として含有する老化防止用皮膚外用剤を提供することを課題とする。」
（ウ）「【００１２】
　本発明は、本発明のコラーゲン産生促進剤であるヒヒラギギク抽出物を有効成分として含有する老化防止用皮膚外用剤にも関する。本発明の皮膚外用剤は、ヒヒラギギク抽出物のコラーゲン産生促進作用によって、優れた老化防止効果を奏する。ヒヒラギギク抽出物のコラーゲン産生促進作用は、主には線維芽細胞に対する賦活作用に起因するものと考えられるが、ヒヒラギギク抽出物は、従来の線維芽細胞賦活剤（例えばＶＣ−ＰＭｇ）と比較して、コラーゲン産生促進作用が特に高いという特徴がある。従って、本発明の皮膚外用剤は、真皮内のコラーゲン量が低下すること、及び真皮内のコラーゲンが老化することに起因する皮膚老化に対して、特に優れた防止効果を奏する。本発明の皮膚外用剤中の前記ヒヒラギギク抽出物の含有量は、固形分として、好ましくは０．００００１〜２質量％（以下単に「％」で示す）であり、より好ましくは０．０００１〜１％である。この範囲内であれば、前記抽出物を安定に配合することができ、かつ高い老化防止効果を発揮することができる。」
（エ）「【００４２】
［例９：クリームの調製例］
　以下の組成のクレームを以下の方法で調製した。
（製法）
Ａ．下記成分（１）〜（１３）を加熱溶解し、７０℃に保つ。
Ｂ．下記成分（１４）〜（１８）を加熱溶解し、７０℃に保つ。
Ｃ．ＡにＢを加え乳化し、更に下記成分（１９）を加え混合する。
Ｄ．Ｃを冷却し、下記成分（２０）及び（２１）を加え混合し、乳液を得る。
（成分）　　　　　　　　　　　　　　　　　　　　　　　　　％
（１）ステアリン酸　　　　　　　　　　　　　　　　　　　２．５
（２）セタノール　　　　　　　　　　　　　　　　　　　　２．５
（３）親油型モノステアリン酸グリセリン　　　　　　　　　２．０
（４）ワセリン　　　　　　　　　　　　　　　　　　　　　２．０
（５）ジペンタエリトリット脂肪酸エステル＊１　　　　　　２．０
（６）ミリスチン酸イソトリデシル　　　　　　　　　　　　５．０
（７）流動パラフィン　　　　　　　　　　　　　　　　　　８．０
（８）スクワラン　　　　　　　　　　　　　　　　　　　　５．０
（９）ミツロウ　　　　　　　　　　　　　　　　　　　　　１．０
（１０）パルミチン酸セチル　　　　　　　　　　　　　　　２．０
（１１）セスキオレイン酸ソルビタン　　　　　　　　　　　０．５
（１２）モノオレイン酸ポリオキシエチレン（２０Ｅ．Ｏ．） ソルビタン　１．５
（１３）防腐剤　　　　　　　　　　　　　　　　　　　　　適量
（１４）トリエタノールアミン　　　　　　　　　　　　　　１．２
（１５）１，３−ブチレングリコール　　　　　　　　　　　８．０
（１６）グリセリン　　　　　　　　　　　　　　　　　　　２．０
（１７）ポリエチレングリコール２００００　　　　　　　　０．５
（１８）精製水　　　　　　　　　　　　　　　　　　　　　残量
（１９）カルボキシビニルポリマー１％水溶液　　　　　　　５．０
（２０）ヒヒラギギク抽出液＊２　　　　　　　　　　　　　１．０
（２１）香料　　　　　　　　　　　　　　　　　　　　　　適量 
＊１：コスモール１６８ＡＲ（日清オイリオグループ社製）
＊２ 例１で調製した抽出液
【００４３】
調製したクリームは、コクのあるなめらかな使用感があり、肌のエモリエント感に優れ、キメを整え、つややはり、弾力のある美しい肌にすることができるクリームであった。」
カ　引用文献６の記載
（ア）「【請求項１】
（Ａ）室温で固形の炭化水素、（Ｂ）ロウ類及び（Ｃ）ポリオキシエチレンソルビットミツロウを含有してなる皮膚用乳化組成物。」
（イ）「【０００７】
　本発明は、前記従来技術に鑑みてなされたものであり、延伸性に優れ、塗布後の油性成分特有のべたつき感を低減し、保湿効果の持続性に優れ、更には、幅広い温度範囲における乳化安定性にも優れた皮膚用乳化組成物を提供することを課題とする。」
（ウ）「【００３０】
　以下、本発明を実施例に基づいて更に詳細に説明するが、本発明はこれら実施例にのみ限定されるものではない。尚、含有量は、特記しない限り「重量％」を表す。」
（エ）「【００４８】
（処方例３：化粧下地） 
ワセリン　　　　　　　　　　　　　　　　　　　　　　　　　　２．０ 
ミツロウ　　　　　　　　　　　　　　　　　　　　　　　　　　２．０ 
ポリオキシエチレンソルビットミツロウ　　　　　　　　　　　　１．５ 
Ｎ−ステアロイル−Ｌ−グルタミン酸ナトリウム　　　　　　　　１．５ 
モノステアリン酸グリセリル　　　　　　　　　　　　　　　　　１．０ 
トリオレイン酸ポリオキシエチレンソルビタン　　　　　　　　　３．０ 
ポリエチレングリコール　　　　　　　　　　　　　　　　　　　５．０ 
ジプロピレングリコール　　　　　　　　　　　　　　　　　　　５．０ 
キサンタンガム　　　　　　　　　　　　　　　　　　　　　　　０．３ 
ステアリルアルコール　　　　　　　　　　　　　　　　　　　　１．０ 
ステアリン酸　　　　　　　　　　　　　　　　　　　　　　　　５．０ 
水添レシチン　　　　　　　　　　　　　　　　　　　　　　　　０．５ 
イソノナン酸イソノニル　　　　　　　　　　　　　　　　　　　５．０ 
トリエタノールアミン　　　　　　　　　　　　　　　　　　　　０．３ 
グリセリン　　　　　　　　　　　　　　　　　　　　　　　　　５．０ 
色素　　　　　　　　　　　　　　　　　　　　　　　　　　　　適　量 
酸化防止剤　　　　　　　　　　　　　　　　　　　　　　　　　適　量 
防腐剤　　　　　　　　　　　　　　　　　　　　　　　　　　  適　量 
精製水　　　　　　　　　　　　　　　　　　　　　　　　　　　残　部 
合 計　　　　　　　　　　　　　　　　　　　　　　　　　　１００．０」
キ　引用文献７の記載
（ア）「
」（第３４頁表１・２０）
ク　引用文献８の記載
（ア）「【００２０】
　ペンタエリスリトールエステルの具体例として、テトラ（ベヘン酸・安息香酸・エチルヘキサン酸）ペンタエリスリチル〔市販品として「サラコスＰ−Ｂ８２２」（日清オイリオグループ社製）等〕、テトラ（エチルヘキサン酸／安息香酸）ペンタエリスチル〔市販品として「サラコスＰ−Ｂ８（７５）」、「サラコスＢＯ−６３」（いずれも日清オイリオグループ社製）等〕、トリポリヒドロキシステアリン酸ジペンタエリスリチル〔市販品として「サラコスＷＯ−６」（日清オイリオグループ社製）等〕、ヘキサ（ヒドロキシステアリン酸・ステアリン酸・ロジン酸）ジペンタエリスリチル〔市販品として「コスモール１６８ＡＲＶ」、「コスモール１６８ＡＲ」（いずれも日清オイリオグループ社製）、「ハイルーセント１３８ＤＰ」（高級アルコール社製）等〕、（ヒドロキシステアリン酸・イソステアリン酸）ジペンタエリスリチル〔市販品として「コスモール１６８ＥＶ」（日清オイリオグループ社製）、「Ｐｅｌｅｍｏｌ ＤＰ７２」（Phenix Chemical社製）等〕、ヘキサヒドロキシステアリン酸ジペンタエリスリチル〔市販品として「コスモール１６８Ｍ」（日清オイリオグループ社製）、「Ｌａｎｏｄｕｂ Ｎ」（Stearinerie Dubois Fils社製）等〕、テトラエチルヘキサン酸ペンタエリスリチル〔市販品として「サラコス５４０８」（日清オイリオグループ社製）、「ニッコールＮＳ−４０８」（日光ケミカルズ社製）、「ＫＡＫ ＰＴＯ」（高級アルコール工業社製）等〕、テトライソステアリン酸ペンタエリスリチル〔市販品として「サラコス５４１８Ｖ」（日清オイリオグループ社製）、「クロダモールＰＴＩＳ」（クローダ社製）、「ＫＡＫ ＰＴＩ」（高級アルコール工業社製）等〕、（１２−ヒドロキシステアリン酸・ステアリン酸・ロジン酸）ジペンタエリスリトール、（１２−ヒドロキシステアリン酸・イソステアリン酸）ジペンタエリスリトール等が挙げられる。」
ケ　引用文献９の記載
（ア）「　　　　　　　　ポリエチレングリコール４０００
　　　　　　　　　　　　Polyethylene Glycol 4000
　本品は，酸化エチレンの重合体で，平均分子量は， 2600〜3800である．
　性　　状　本品は，白色のろう状物質又は粉末で，においはない．」（第1384頁）
（イ）「　　　　　　　　ポリエチレングリコール２００００
　　　　　　　　　　　　Polyethylene Glycol 20000
　本品は，酸化エチレンの重合体で，平均分子量は， 15500〜25000である．
　性　　状　本品は，白色のろう状物質又は粉末で，においはない．」（第1387頁）
（２）引用文献記載の発明
ア　引用文献１記載の発明
　引用文献１には、特に上記（１）ア（エ）及び（オ）の記載からみて、以下の発明が記載されている。
「イソステアリン酸３．０質量％、モノステアリン酸グリセリン４．０質量％、ベヘニルアルコール２．０質量％、ミリスチン酸セチル１．０質量％、セスキオレイン酸ソルビタン１．０質量％、長鎖分岐脂肪酸コレステリル（商品名：ＹＯＦＣＯ ＣＬＥ−ＮＨ(日本精化社製） ０．１質量％、水素添加レシチン０．１質量％、植物スクワラン５．０質量％、ミリスチン酸オクチルドデシル５．０質量％、サーファクチンナトリウム０．１質量％、１，３−ブチレングリコール０．５質量％、ソルビトール液５．０質量％、ポリエチレングリコール４０００　０．２質量％、カルボキシビニルポリマー０．１質量％、パラオキシ安息香酸メチル０．２質量％、メバロノラクトン０．１質重％、エデト酸ニナトリウム０．２質量％、ラズベリーケトングルコシド０．０５質量％、塩化ナトリウム０．１質量％、ジプロピレングリコール０．１質量％、濃グリセリン５．０質量％、ラフィノース０．１質量％、アスコルビン酸２−グルコシド０．１質量％、カルボキシメチルセルロース０．０５質量％、精製水　残量からなる乳液」（以下、「引用発明１」という。）
イ　引用文献２記載の発明
　引用文献２には、特に上記（１） イ（エ）及び（オ）の記載からみて、以下の発明が記載されている。
「ノニル酸バニリルアミド０．００１重量％、３−(１−メントキシ）プロパン−１，２−ジオール１．０重量％、ＰＯＥ（２０） ＰＯＰ （４）セチルエーテル１．０重量％、ＰＯＥ（３）ラウリルエーテル硫酸ナトリウム０．２５重量％、自己乳化型モノステアリン酸グリセリル１．０重量％、ステアリン酸３．０重量％、ベヘニルアルコール３．０重量％、ミツロウ３．０重量％、スクワラン２０．０重量％、２−エチルヘキサン酸セチル７．０重量％、ホホバ油５．０重量％、ポリエチレングリコール１５００　５．０重量％、メチルポリシロキサン(３００ｃＳｔ) ０．２重量％、パラベン０．１重量％、香料０．１重量％、クエン酸　適量、精製水　残量、ｄｌ−ピロリドンカルボン酸ナトリウム液（５０％） １．０重量％、からなるｐＨ６．０のスキンクリーム」（以下、「引用発明２」という。）
ウ　引用文献３記載の発明
　引用文献３には、特に上記1（１）ウ（エ）及び（オ）の記載からみて、以下の発明が記載されている。
「バニリルアルコールｎ−ブチルエーテル０．０１重量％、ノニル酸バニリルアミド０．００１重量％、ニコチン酸ベンジル０．００１重量％、ＰＯＥ（２０） ＰＯＰ （４）セチルエーテル１．０重量％、ＰＯＥ（５０）硬化ヒマシ油１．０重量％、自己乳化型モノステアリン酸グリセリル１．０重量％、ステアリン酸３．０重量％、ベヘニルアルコール３．０重量％、ミツロウ３．０重量％、スクワラン１３．０重量％、２−エチルヘキサン酸セチル７．０重量％、ホホバ油５．０重量％、ポリエチレングリコール１５００　５．０重量％、メチルポリシロキサン(３００ｃＳｔ) ０．２重量％、パラベン０．１重量％、香料０．１重量％、クエン酸　適量、精製水　残量からなるｐＨ６．０のスキンクリーム」（以下、「引用発明３」という。）
エ　引用文献４記載の発明
　引用文献４には、特に上記（１）エ（ウ）及び（エ）の記載からみて、以下の発明が記載されている。
「ステアリン酸２．５質量％、セタノール２．５質量％、親油型モノステアリン酸グリセリン２．０質量％、ワセリン２．０質量％、ジペンタエリトリット脂肪酸エステル（コスモール１６８ＡＲ(日清オイリオグループ社製））２．０質量％、ミリスチン酸イソトリデシル５．０質量％、流動パラフィン８．０質量％、スクワラン５．０質量％、ミツロウ１．０質量％、パルミチン酸セチル２．０質量％、セスキオレイン酸ソルビタン０．５質量％、モノオレイン酸ポリオキシエチレン(２０Ｅ．Ｏ．) ソルビタン１．５質量％、防腐剤　適量、トリエタノールアミン　１．２質量％、１，３−ブチレングリコール８．０質量％、グリセリン２．０質量％、ポリエチレングリコール２００００　 ０．５質量％、精製水　残量、カルボキシビニルボリマー１％水溶液５．０質量％、クルミ種皮抽出物（オリザ油化株式会社製クルミポリフェノール−ＰＣ３０) １．０質量％、香料　適量からなるクリーム」（以下、「引用発明４」という。）
オ　引用文献５記載の発明
　引用文献５には、特に上記1（１）オ（ウ）及び（エ）の記載からみて、以下の発明が記載されている。
「ステアリン酸２．５質量％、セタノール２．５質量％、親油型モノステアリン酸グリセリン２．０質量％、ワセリン２．０質量％、ジペンタエリトリット脂肪酸エステル（コスモール１６８ＡＲ(日清オイリオグループ社製））２．０質量％、ミリスチン酸イソトリデシル５．０質量％、流動パラフィン８．０質量％、スクワラン５．０質量％、ミツロウ１．０質量％、パルミチン酸セチル２．０質量％、セスキオレイン酸ソルビタン０．５質量％、モノオレイン酸ポリオキシエチレン(２０Ｅ．Ｏ．) ソルビタン１．５質量％、防腐剤　適量、トリエタノールアミン　１．２質量％、１，３−ブチレングリコール８．０質量％、グリセリン２．０質量％、ポリエチレングリコール２００００　 ０．５質量％、精製水　残量、カルボキシビニルボリマー１％水溶液５．０質量％、ヒヒラギギク抽出液（例１で調製した抽出液）１．０質量％、香料　適量からなるクリーム」（以下、「引用発明５」という。）
カ　引用文献６記載の発明
　引用文献６には、特に上記（１）カ（ウ）及び（エ）の記載からみて、以下の発明が載されている。
「ワセリン２．０重量％、ミツロウ２．０重量％、ポリオキシエチレンソルビットミツロウ１．５重量％、Ｎ−ステアロイル−Ｌ−グルタミン酸ナトリウム１．５重量％、モノステアリン酸グリセリル１．０重量％ 、トリオレイン酸ポリオキシエチレンソルビタン３．０重量％、ポリエチレングリコール５．０重量％ 、ジプロピレングリコール５．０重量％、キサンタンガム０．３重量％、ステアリルアルコール１．０重量％、ステアリン酸１５．０重量％、水添レシチン０．５重量％、イソノナン酸イソノニル５．０重量％、トリエタノールアミン０．３重量％、グリセリン５．０重量％ 、色素　適量、酸化防止剤　適量、防腐剤　適量、精製水　残部からなる化粧下地」（以下、「引用発明６」という。）
（３）対比・判断
ア　引用発明１に対して
（ア）本件発明６について
ａ　対比
　本件発明６と引用発明１を対比する。
　引用発明１の「ポリエチレングリコール４０００」は、引用文献９の摘記事項（１）ケ（ア）に白色のろう状物質又は粉末であることが記載されていることを踏まえれば、本件発明６の「成分Ｄ：室温で固体のポリエチレングリコール」に相当する。
　また、引用発明１の「ミリスチン酸セチル」、「ミリスチン酸オクチルドデシル」、「モノステアリン酸グリセリン」、「乳液」、及び「ベヘニルアルコール」は、本件発明６における「成分Ａ：直鎖脂肪酸と直鎖高級アルコールとのエステル油であって、室温で固形状の脂肪酸エステル油」、「成分Ｂ：室温で液状であり、且つ、分岐鎖構造を有する脂肪酸エステル油」、「成分Ｃ：非イオン性界面活性剤」、「皮膚用乳化組成物」、及び「高級アルコール」にそれぞれ相当する。
　さらに、引用発明１の成分Ａである「ミリスチン酸セチル」と成分Ｂである「ミリスチン酸オクチルドデシル」の質量含有比は１：５であるから、本件発明６の「１：２〜１：１０」とその範囲内にある点で一致する。
　そして、本件発明６は、高級アルコールの含有量についての規定はあるものの、成分Ａ〜Ｄ以外も含有することができるから、引用発明１に含まれる高級アルコール以外の、成分Ａ〜Ｄ以外の成分を含む点は、両発明の相違点とはならない。
　そうすると、本件発明６と引用発明１との一致点と相違点は以下のとおりである。
＜一致点＞
　「下記成分Ａ、成分Ｂ、成分Ｃ、及び成分Ｄを含有することを特徴とする皮膚用乳化組成物であって、
前記成分Ａと前記成分Ｂの質量含有比が、Ａ：Ｂ＝１：２〜１：１０である皮膚用乳化組成物。
成分Ａ：直鎖脂肪酸と直鎖高級アルコールとのエステル油及び直鎖脂肪酸とペンタエリスリトールとのエステル油の少なくとも１種であって、室温で固形状の脂肪酸エステル油
成分Ｂ：室温で液状であり、且つ、分岐鎖構造を有する脂肪酸エステル油
成分Ｃ：非イオン性界面活性剤
成分Ｄ：室温で固形状のポリエチレングリコール」
＜相違点＞
　本件発明６は、「高級アルコールを含まないか、又は高級アルコールを含み且つ高級アルコールの含有量が０．５質量％以下である」ことが特定されているのに対して、引用発明１では「ベヘニルアルコール２．０質量％」を含む点。
ｂ　判断
（ａ）　上述のとおり、本件発明６と引用発明１は相違するから、本件発明６は、引用文献１に記載された発明ではない。
（ｂ）　次に、相違点の容易想到性について検討する。
　引用文献１の記載によれば、引用発明１の高級アルコールは、任意成分として認識されるものである（上記（１）ア（ア）及び（ウ））。
　一方、本件発明６は、高級アルコールを低粘度の乳化組成物に配合した場合に、経時的に粘度上昇して使用感に悪影響があるとの問題があるため、高級アルコールの含有量濃度を減らし、その際の課題を解決しようとするものであるところ、引用文献１には、そのような高級アルコールに対する問題の認識はなく、高級アルコールの含有量を減らすとの動機付けとなる記載はない。そうすると、引用発明１において、ベヘニルアルコールを除く、もしくは、その濃度を０．５質量％以下とし、保存安定性（乳化安定性）に優れ、尚且つ、コクのある使用感を有しながら、べたつきのない滑らかな肌触り感を付与し、優れた保湿効果を発揮する乳液を得ることは当業者が容易に想到することではない。
（イ）本件発明７〜１０について
　請求項６を引用する本件発明７〜１０については、上記（ア）と同様の理由により、引用文献１に記載された発明ではなく、引用文献１に記載された発明及び技術常識に基づいて、当業者が容易に発明することができたものではない。
（ウ）まとめ
　したがって、本件発明６〜１０は、特許法第１１３条第２号に該当せず、取消理由通知で通知する理由によって取り消されるべきものではない。
イ　引用発明２に対して
（ア）本件発明６について
ａ　対比
　本件発明６と引用発明２を対比する。
　引用発明２の「ポリエチレングリコール４０００」は、引用文献９の摘記事項（１）ケ（ア）に白色のろう状物質又は粉末であることが記載されていることを踏まえれば、本件発明６の「成分Ｄ：室温で固体のポリエチレングリコール」に相当する。
　また、引用発明２における「２−エチルヘキサン酸セチル」、「自己乳化型モノステアリン酸グリセリル」、「スキンクリーム」、及び「ベヘニルアルコール」は、本件発明６における「成分Ｂ：室温で液状であり、且つ、分岐鎖構造を有する脂肪酸エステル油」、「皮膚用乳化組成物」、及び「高級アルコール」にそれぞれ相当する。
　さらに、引用発明２における「ミツロウ」は、上記（１）キ（ア）の記載を参照すると、「直鎖脂肪酸と直鎖高級アルコールとのエステル油であって、室温で固形状の脂肪酸エステル油」である「パルミチン酸ミリシル」を２３％、「パルミチン酸ラクセリル」を２％、「セロチン酸ミリシル」を１２％含むものであり、この割合はミツロウ全体の重量に対する割合である重量％を示すものと認める。そして、引用発明２はミツロウを３重量％含むので、上記（１）キ（ア）を参照した前記記載に基づいて計算すると、「成分Ａ：直鎖脂肪酸と直鎖高級アルコールとのエステル油であって、室温で固形状の脂肪酸エステル油」を３重量％×（２３＋２＋１２）％＝約１．１１重量％含むものであって、そうすると、引用発明２における成分Ａと成分Ｂの質量比は１．１１：７＝１：約６．３１であるから、本件発明６の「１：２〜１：１０」の範囲囲内である点で一致する。
　そして、本件発明６は、高級アルコールの含有量についての規定はあるものの成分Ａ〜Ｄ以外も含有することができるから、引用発明２に含まれる高級アルコール以外の、成分Ａ〜Ｄ以外の成分を含む点は、両発明の相違点とはならない。
　そうすると、本件発明６と引用発明２との一致点と相違点は以下のとおりである。
＜一致点＞
　「下記成分Ａ、成分Ｂ、成分Ｃ、及び成分Ｄを含有することを特徴とする皮膚用乳化組成物であって、
前記成分Ａと前記成分Ｂの質量含有比が、Ａ：Ｂ＝１：２〜１：１０である皮膚用乳化組成物。
成分Ａ：直鎖脂肪酸と直鎖高級アルコールとのエステル油及び直鎖脂肪酸とペンタエリスリトールとのエステル油の少なくとも１種であって、室温で固形状の脂肪酸エステル油
成分Ｂ：室温で液状であり、且つ、分岐鎖構造を有する脂肪酸エステル油
成分Ｃ：非イオン性界面活性剤
成分Ｄ：室温で固形状のポリエチレングリコール」
＜相違点＞
　本件発明６は、「高級アルコールを含まないか、又は高級アルコールを含み且つ高級アルコールの含有量が０．５質量％以下である」ことが特定されているのに対して、引用発明２では「ベヘニルアルコール３．０質量％」を含む点。
　
ｂ　判断
（ａ）　上述のとおり、本件発明６と引用発明２とは相違するから、本件発明６は、引用文献２に記載された発明ではない。
（ｂ）　次に、相違点の容易想到性について検討する。
　引用文献２の記載によれば、引用発明２の高級アルコールは、任意成分として認識されるものである（上記（１）イ（ア）及び（ウ））。
　一方、本件発明６は、高級アルコールを低粘度の乳化組成物に配合した場合に、経時的に粘度上昇して使用感に悪影響があるとの問題があるため、高級アルコールの含有量濃度を減らし、その際の課題を解決しようとするものであるところ、引用文献２には、そのような高級アルコールに対する問題の認識はなく、高級アルコールの含有量を減らすとの動機付けとなる記載はない。　
　そうすると、引用発明２において、ベヘニルアルコールを除く、もしくは、その濃度を０．５質量％以下とし、保存安定性（乳化安定性）に優れ、尚且つ、コクのある使用感を有しながら、べたつきのない滑らかな肌触り感を付与し、優れた保湿効果を発揮する乳液を得ることは当業者が容易に想到することではない。
（イ）本件発明７〜１０について
　請求項６を引用する本件発明７〜１０については、上記（ア）と同様の理由により、引用文献２に記載された発明ではなく、引用文献２に記載された発明及び技術常識に基づいて、当業者が容易に想到し得たものではない。
（ウ）まとめ
　したがって、本件発明６〜１０は、特許法第１１３条第２号に該当せず、取消理由通知で通知する理由によって取り消されるべきものではない。
ウ　引用発明３に対して
（ア）本件発明６について
　本件発明６と引用発明３を対比する。
　引用発明３の「ポリエチレングリコール４０００」は、引用文献９の摘記事項（１）ケ（ア）に白色のろう状物質又は粉末であることが記載されていることを踏まえれば、本件発明６の「成分Ｄ：室温で固体のポリエチレングリコール」に相当する。
　また、引用発明３における「２−エチルヘキサン酸セチル」、「自己乳化型モノステアリン酸グリセリル」、「スキンクリーム」、及び「ベヘニルアルコール」は、本件発明６における「成分Ｂ：室温で液状であり、且つ、分岐鎖構造を有する脂肪酸エステル油」、「成分Ｃ：非イオン性界面活性剤」、「皮膚用乳化組成物」、及び「高級アルコール」にそれぞれ相当する。
　さらに、引用発明３における「ミツロウ」は、上記（１）キ（ア）の記載を参照すると、「直鎖脂肪酸と直鎖高級アルコールとのエステル油であって、室温で固形状の脂肪酸エステル油」である「パルミチン酸ミリシル」を２３％、「パルミチン酸ラクセリル」を２％、「セロチン酸ミリシル」を１２％含むものであり、この割合はミツロウ全体の重量に対する割合である重量％を示すものと認める。
　そして、引用発明３はミツロウを３重量％含むので、上記（１）キ（ア）を参照した前記記載に基づいて計算すると、「成分Ａ：直鎖脂肪酸と直鎖高級アルコールとのエステル油であって、室温で固形状の脂肪酸エステル油」を３重量％×（２３＋２＋１２）％＝約１．１重量％含むものであって、そうすると、引用発明３における成分Ａと成分Ｂの質量比は１．１１：７＝１：約６．３１であるから、本件発明６の「１：２〜１：１０」の範囲囲内である点で一致する。
　さらに、本件発明６は、高級アルコールの含有量についての規定はあるものの、成分Ａ〜Ｄ以外も含有することができるから、引用発明３に含まれる高級アルコール以外の、成分Ａ〜Ｄ以外の成分を含む点は、両発明の相違点とはならない。
　そうすると、本件発明６と引用発明３との一致点と相違点は以下のとおりである。
＜一致点＞
　「下記成分Ａ、成分Ｂ、成分Ｃ、及び成分Ｄを含有することを特徴とする皮膚用乳化組成物であって、
前記成分Ａと前記成分Ｂの質量含有比が、Ａ：Ｂ＝１：２〜１：１０である皮膚用乳化組成物。
成分Ａ：直鎖脂肪酸と直鎖高級アルコールとのエステル油及び直鎖脂肪酸とペンタエリスリトールとのエステル油の少なくとも１種であって、室温で固形状の脂肪酸エステル油
成分Ｂ：室温で液状であり、且つ、分岐鎖構造を有する脂肪酸エステル油
成分Ｃ：非イオン性界面活性剤
成分Ｄ：室温で固形状のポリエチレングリコール」
＜相違点＞
　本件発明６は、「高級アルコールを含まないか、又は高級アルコールを含み且つ高級アルコールの含有量が０．５質量％以下である」ことが特定されているのに対して、引用発明３では「ベヘニルアルコール３．０質量％」を含む点。
　
　以下、相違点について検討する。
ａ　上述のとおり、本件発明６と引用発明３とは相違するから、本件発明６は、引用文献３に記載された発明ではない。
ｂ　次に、相違点の容易想到性について検討する。
　引用文献３の記載によれば、引用発明３の高級アルコールは、任意成分として認識されるものである（上記（１）ウ（ア）及び（ウ））。
　一方、本件発明６は、高級アルコールを低粘度の乳化組成物に配合した場合に、経時的に粘度上昇して使用感に悪影響があるとの問題があるため、高級アルコールの含有量濃度を減らし、その際の課題を解決しようとするものであるところ、引用文献３には、そのような高級アルコールに対する問題の認識はなく、高級アルコールの含有量を減らすとの動機付けとなる記載はない。　
　そうすると、引用発明３において、ベヘニルアルコールを除く、もしくは、その濃度を０．５質量％以下とし、保存安定性（乳化安定性）に優れ、尚且つ、コクのある使用感を有しながら、べたつきのない滑らかな肌触り感を付与し、優れた保湿効果を発揮する乳液を得ることは当業者が容易に想到しうることではない。
（イ）本件発明７〜１０について
　請求項６を引用する本件発明７〜１０については、上記（ア）と同様の理由により、引用文献３に記載された発明ではなく、引用文献３に記載された発明及び技術常識に基づいて、当業者が容易に想到し得たものではない。
（ウ）まとめ
　したがって、本件発明６〜１０は、特許法第１１３条第２号に該当せず、取消理由通知で通知する理由によって取り消されるべきものではない。
エ　引用発明４に対して
（ア）本件発明６について
　本件発明６と引用発明４を対比する。
　引用発明４の「ポリエチレングリコール２００００」は、引用文献９の摘記事項（１）ケ（イ）に白色のろう状物質又は粉末であることが記載されていることを踏まえれば、本件発明６の「成分Ｄ：室温で固体のポリエチレングリコール」に相当する。
　また、引用発明４における「パルミチン酸セチル」、「ミリスチン酸イソトリデシル」、「モノオレイン酸ポリエキシエチレン（２０Ｅ．Ｏ．）ソルビタン」、「クリーム」、及び「セタノール」は、本件発明６における「成分Ａ：直鎖脂肪酸と直鎖高級アルコールとのエステル油であって、室温で固形状の脂肪酸エステル油」、「成分Ｂ：室温で液状であり、且つ、分岐鎖構造を有する脂肪酸エステル油」、「成分Ｃ：非イオン性界面活性剤」、「皮膚用乳化組成物」、及び「高級アルコール」にそれぞれ相当する。
　さらに、引用発明４における「ミツロウ」は、上記（１）キ（ア）の記載を参照すると、「直鎖脂肪酸と直鎖高級アルコールとのエステル油であって、室温で固形状の脂肪酸エステル油」である「パルミチン酸ミリシル」を２３％、「パルミチン酸ラクセリル」を２％、「セロチン酸ミリシル」を１２％含むものであり、この割合はミツロウ全体の重量に対する割合である重量％を示すものと認める。
　そうすると、引用発明４はミツロウを１重量％含むので、引用発明４は「成分Ａ：直鎖脂肪酸と直鎖高級アルコールとのエステル油であって、室温で固形状の脂肪酸エステル油」について、２．０質量％（パルミチン酸セチル）＋１質量％×（２３＋２＋１２）％＝２．０質量％＋０．３７質量％（ミツロウ由来）＝２．３７質量％含み、「成分Ｂ：室温で液状であり、且つ、分岐鎖構造を有する脂肪酸エステル油」を５．０質量％含むものであるから、その成分Ａと成分Ｂの質量含有比は、Ａ：Ｂ＝２．３７：５＝１：約２．１であって、本件発明６の「１：２〜１：１０」の範囲囲内である点で一致する。
　なお、引用発明４における「ジペンタエリトリット脂肪酸エステル（コスモール１６８ＡＲ)」は、上記（１）ク（ア）を参照すると「ペンタエリスリトールエステル」の１種であるものの、「ヘキサ（ヒドロキシステアリン酸・ステアリン酸・ロジン酸）ジペンタエリスリチル」であり、成分Ａに相当するものではない。
　さらに、本件発明６は、高級アルコールの含有量についての規定はあるものの、成分Ａ〜Ｄ以外も含有することができるから、引用発明４に含まれる高級アルコール以外の、成分Ａ〜Ｄ以外の成分を含む点は、両発明の相違点とはならない。
　そうすると、本件発明６と引用発明４との一致点と相違点は以下のとおりである。
＜一致点＞
　「下記成分Ａ、成分Ｂ、成分Ｃ、及び成分Ｄを含有することを特徴とする皮膚用乳化組成物であって、
前記成分Ａと前記成分Ｂの質量含有比が、Ａ：Ｂ＝１：２〜１：１０である皮膚用乳化組成物。
成分Ａ：直鎖脂肪酸と直鎖高級アルコールとのエステル油及び直鎖脂肪酸とペンタエリスリトールとのエステル油の少なくとも１種であって、室温で固形状の脂肪酸エステル油
成分Ｂ：室温で液状であり、且つ、分岐鎖構造を有する脂肪酸エステル油
成分Ｃ：非イオン性界面活性剤
成分Ｄ：室温で固形状のポリエチレングリコール」
＜相違点＞
　本件発明６は、「高級アルコールを含まないか、又は高級アルコールを含み且つ高級アルコールの含有量が０．５質量％以下である」ことが特定されているのに対して、引用発明４では「セタノール２．５質量％」を含む点。
　
　以下、相違点について検討する。
ａ　上述のとおり、本件発明６と引用発明４とは相違するから、本件発明６は、引用文献４に記載された発明ではない。
ｂ　次に、相違点の容易想到性について検討する。
　本件発明６は、高級アルコールを低粘度の乳化組成物に配合した場合に、経時的に粘度上昇して使用感に悪影響があるとの問題があるため、高級アルコールの含有量濃度を減らし、その際の課題を解決しようとするものであるところ、引用文献４には、そのような高級アルコールに対する問題の認識はなく、高級アルコールの含有量を減らすとの動機付けとなる記載はない。　
　そうすると、引用発明４において、セタノールを除く、もしくは、その濃度を０．５質量％以下とし、保存安定性（乳化安定性）に優れ、尚且つ、コクのある使用感を有しながら、べたつきのない滑らかな肌触り感を付与し、優れた保湿効果を発揮する乳液を得ることは当業者が容易に想到しうることではない。
（イ）本件発明７〜１０について
　請求項６を引用する本件発明７〜１０については、上記（ア）と同様の理由により、引用文献４に記載された発明ではなく、引用文献４に記載された発明及び技術常識に基づいて、当業者が容易に想到し得たものではない。
（ウ）まとめ
　したがって、本件発明６〜１０は、特許法第１１３条第２号に該当せず、取消理由通知で通知する理由によって取り消されるべきものではない。
オ　引用発明５に対して
（ア）本件発明６について
　本件発明６と引用発明５を対比する。
　引用発明５の「ポリエチレングリコール２００００」は、引用文献９の摘記事項（１）ケ（イ）に白色のろう状物質又は粉末であることが記載されていることを踏まえれば、本件発明６の「成分Ｄ：室温で固体のポリエチレングリコール」に相当する。
　また、引用発明５における「パルミチン酸セチル」、「ミリスチン酸イソトリデシル」、「モノオレイン酸ポリエキシエチレン（２０Ｅ．Ｏ．）ソルビタン」、「クリーム」、及び「セタノール」は、本件発明６における「成分Ａ：直鎖脂肪酸と直鎖高級アルコールとのエステル油であって、室温で固形状の脂肪酸エステル油」、「成分Ｂ：室温で液状であり、且つ、分岐鎖構造を有する脂肪酸エステル油」、「成分Ｃ：非イオン性界面活性剤」、「皮膚用乳化組成物」、及び「高級アルコール」にそれぞれ相当する。
　さらに、引用発明５における「ミツロウ」は、上記（１）キ（ア）の記載を参照すると、「直鎖脂肪酸と直鎖高級アルコールとのエステル油であって、室温で固形状の脂肪酸エステル油」である「パルミチン酸ミリシル」を２３％、「パルミチン酸ラクセリル」を２％、「セロチン酸ミリシル」を１２％含むものであり、この割合はミツロウ全体の重量に対する割合である重量％を示すものと認める。
　そうすると、引用発明５はミツロウを１重量％含むので、引用発明５は「成分Ａ：直鎖脂肪酸と直鎖高級アルコールとのエステル油であって、室温で固形状の脂肪酸エステル油」について、２．０質量％（パルミチン酸セチル）＋１質量％×（２３＋２＋１２）％＝２．０質量％＋０．３７質量％（ミツロウ由来）＝２．３７質量％含み、「成分Ｂ：室温で液状であり、且つ、分岐鎖構造を有する脂肪酸エステル油」を５．０質量％含むものであるから、その成分Ａと成分Ｂの質量含有比は、Ａ：Ｂ＝２．３７：５＝１：約２．１であって、本件発明６の「１：２〜１：１０」の範囲囲内である点で一致する。
　なお、引用発明５における「ジペンタエリトリット脂肪酸エステル（コスモール１６８ＡＲ)」は、上記（１）ク（ア）を参照すると「ペンタエリスリトールエステル」の１種であるものの、「ヘキサ（ヒドロキシステアリン酸・ステアリン酸・ロジン酸）ジペンタエリスリチル」であり、成分Ａに相当するものではない。
　さらに、本件発明６は、高級アルコールの含有量についての規定はあるものの、成分Ａ〜Ｄ以外も含有することができるから、引用発明５に含まれる高級アルコール以外の、成分Ａ〜Ｄ以外の成分を含む点は、両発明の相違点とはならない。
　そうすると、本件発明６と引用発明５との一致点と相違点は以下のとおりである。
＜一致点＞
　「下記成分Ａ、成分Ｂ、成分Ｃ、及び成分Ｄを含有することを特徴とする皮膚用乳化組成物であって、
前記成分Ａと前記成分Ｂの質量含有比が、Ａ：Ｂ＝１：２〜１：１０である皮膚用乳化組成物。
成分Ａ：直鎖脂肪酸と直鎖高級アルコールとのエステル油及び直鎖脂肪酸とペンタエリスリトールとのエステル油の少なくとも１種であって、室温で固形状の脂肪酸エステル油
成分Ｂ：室温で液状であり、且つ、分岐鎖構造を有する脂肪酸エステル油
成分Ｃ：非イオン性界面活性剤
成分Ｄ：室温で固形状のポリエチレングリコール」
＜相違点＞
　本件発明６は、「高級アルコールを含まないか、又は高級アルコールを含み且つ高級アルコールの含有量が０．５質量％以下である」ことが特定されているのに対して、引用発明５では「セタノール２．５質量％」を含む点。
　
　以下、相違点について検討する。
ａ　上述のとおり、本件発明６と引用発明５とは相違するから、本件発明６は、引用文献５に記載された発明ではない。
ｂ　次に、相違点の容易想到性について検討する。
　本件発明６は、高級アルコールを低粘度の乳化組成物に配合した場合に、経時的に粘度上昇して使用感に悪影響があるとの問題があるため、高級アルコールの含有量濃度を減らし、その際の課題を解決しようとするものであるところ、引用文献５には、そのような高級アルコールに対する問題の認識はなく、高級アルコールの含有量を減らすとの動機付けとなる記載はない。
　そうすると、引用発明５において、セタノールを除く、もしくは、その濃度を０．５質量％以下とし、保存安定性（乳化安定性）に優れ、尚且つ、コクのある使用感を有しながら、べたつきのない滑らかな肌触り感を付与し、優れた保湿効果を発揮する乳液を得ることは当業者が容易に想到しうることではない。
（イ）本件発明７〜１０について
　請求項６を引用する本件発明７〜１０については、上記（ア）と同様の理由により、引用文献５に記載された発明ではなく、引用文献５に記載された発明及び技術常識に基づいて、当業者が容易に想到し得たものではない。
（ウ）まとめ
　したがって、本件発明６〜１０は、特許法第１１３条第２号に該当せず、取消理由通知で通知する理由によって取り消されるべきものではない。
カ　引用発明６に対して
（ア）本件発明６について
　本件発明６と引用発明６を対比する。
　引用発明６における「イソノナン酸イソノニル」、「ポリエキシエチレンソルビットミツロウ」、「化粧下地」、及び「ステアリルアルコール」は、本件発明６における「成分Ｂ：室温で液状であり、且つ、分岐鎖構造を有する脂肪酸エステル油」、「成分Ｃ：非イオン性界面活性剤」、「皮膚用乳化組成物」、及び「高級アルコール」にそれぞれ相当する。
　また、引用発明６における「ミツロウ」は、上記（１）キ（ア）の記載を参照すると、「直鎖脂肪酸と直鎖高級アルコールとのエステル油であって、室温で固形状の脂肪酸エステル油」である「パルミチン酸ミリシル」を２３％、「パルミチン酸ラクセリル」を２％、「セロチン酸ミリシル」を１２％含むものであり、この割合はミツロウ全体の重量に対する割合である重量％を示すものと認める。
　そして、引用発明６はミツロウを２重量％含むので、上記（１）キ（ア）を参照した前記記載に基づいて計算すると、「成分Ａ：直鎖脂肪酸と直鎖高級アルコールとのエステル油であって、室温で固形状の脂肪酸エステル油」を２重量％×（２３＋２＋１２）％＝約０．７４重量％含むものであって、引用発明６における成分Ａと成分Ｂの質量含有比は０．７４：５．０＝１：約６．７であるから、本件発明６の「１：２〜１：１０」の範囲囲内である点で一致する。
　さらに、本件発明６は、高級アルコールの含有量についての規定はあるものの、成分Ａ〜Ｄ以外も含有することができるから、引用発明６に含まれる高級アルコール以外の、成分Ａ〜Ｄ以外の成分を含む点は、両発明の相違点とはならない。
　そうすると、本件発明６と引用発明６との一致点と相違点は以下のとおりである。
＜一致点＞
　「下記成分Ａ、成分Ｂ、成分Ｃ、及び成分Ｄを含有することを特徴とする皮膚用乳化組成物であって、
前記成分Ａと前記成分Ｂの質量含有比が、Ａ：Ｂ＝１：約６．７である皮膚用乳化組成物。
成分Ａ：直鎖脂肪酸と直鎖高級アルコールとのエステル油及び直鎖脂肪酸とペンタエリスリトールとのエステル油の少なくとも１種であって、室温で固形状の脂肪酸エステル油
成分Ｂ：室温で液状であり、且つ、分岐鎖構造を有する脂肪酸エステル油
成分Ｃ：非イオン性界面活性剤
成分Ｄ：ポリエチレングリコール」
＜相違点１＞
　本件発明６ではポリエチレングリコールが「室温で固形状」であるのに対して、引用発明６ではそのような特定がない点。
＜相違点２＞
　本件発明６は、「高級アルコールを含まないか、又は高級アルコールを含み且つ高級アルコールの含有量が０．５質量％以下である」ことが特定されているのに対して、引用発明６では「ステアリルアルコール１．０質量％」を含む点。
　
　以下、相違点について検討する。
ａ　相違点１について
　引用文献１には、乳液においてポリエチレングリコール４０００を配合することが記載されており（上記（１）ア（エ））、引用文献２、３には、スキンクリームにおいてポリエチレングリコール１５００を配合することが記載されており（上記（１）イ（オ）及び上記（１）ウ（オ））、引用文献４、５には、クリームにおいてポリエチレングリコール２００００を配合することが記載されている（上記（１）エ（エ）及び上記（１）オ（エ））。
　そして、引用発明６も乳液やクリームと同様に乳化物であるから、引用発明６において、ポリエチレングリコールとして、引用文献１〜５のいずれかに記載のものを用いてみることは当業者が容易に想到し得ることである。
ｂ　相違点２について
　本件発明６は、高級アルコールを低粘度の乳化組成物に配合した場合に、経時的に粘度上昇して使用感に悪影響があるとの問題があるため、高級アルコールの含有量濃度を減らし、その際の課題を解決しようとするものであるところ、引用文献６には、そのような高級アルコールに対する問題の認識はなく、高級アルコールの含有量を減らすとの動機付けとなる記載はない。
　そうすると、引用発明６において、ステアリルアルコールを除く、もしくは、その濃度を０．５質量％以下とし、保存安定性（乳化安定性）に優れ、尚且つ、コクのある使用感を有しながら、べたつきのない滑らかな肌触り感を付与し、優れた保湿効果を発揮する乳液を得ることは当業者が容易に想到し得ることではない。
（イ）本件発明７〜１０について
　請求項６を引用する本件発明７〜１０については、上記（ア）と同様の理由により、引用文献６に記載された発明ではなく、引用文献６に記載された発明及び技術常識に基づいて、当業者が容易に想到し得たものではない。
（ウ）まとめ
　したがって、本件発明６〜１０は、特許法第１１３条第２号に該当せず、取消理由通知で通知する理由によって取り消されるべきものではない。
２　取消理由通知において採用しなかった特許異議申立理由について
（１）　申立理由３（特許法第３６条第６項第１号）、及び、申立理由４（特許法第３６条第４項第１号）について
ア　申立理由の概要（特許異議申立書及び令和　３年　１月１８日差出の意見書）
　申立人は特許異議申立書で以下のとおり主張している。
（ア）質量含量比Ａ：Ｂが請求項１の範囲でありさえすれば、その全範囲において、たとえば成分ＡまたはＢならびにＣおよびＤの少なくとも１つの成分の含有量が極めて少ないものにおいてまで、本件特許における所期の効果が得られるかどうかについて、本件特許明細書全体の記載および出願時の技術常識を考慮しても不明である。
（イ）質量含量比Ａ：Ｂが請求項１の範囲でありさえすれば、その全範囲において、あらゆる成分Ａを含む態様について、本件特許における所期の効果が得られるかどうかについて、本件特許明細書全体の記載および出願時の技術常識を考慮しても不明である。
（ウ）質量含量比Ａ：Ｂが請求項１の範囲でありさえすれば、その全範囲において、たとえば成分Ｅ、ステアリン酸、濃グリセリン、流動パラフィンおよびエタノールを含まないものや、これらの成分の含有量が実施例１〜１０と大きく異なるものにおいてまで、本件特許における所期の効果が得られるかどうかについて、本件特許明細書全体の記載および出願時の技術常識を考慮しても不明である。
　したがって、本件特許明細書全体の記載および本件特許出願時の技術常識に照らして、請求項１の範囲全体にまで本件特許における上記課題を解決し得るものとして、発明を拡張ないし一般化できるものとは認められない。
　よって、出願時の技術常識に照らしても、本件発明１は、発明の詳細な説明に記載されたものとはいえず、本件発明１についての特許は、特許法第３６条第６項第１号に規定する要件を満たしていない特許出願に対してされたものである。
　また、本件特許明細書に実施例として具体的に記載された組成以外に、上記課題を解決する成分の組み合せを広汎な範囲から見出そうとすれば、当業者といえども過度の試行錯誤を強いられることになる。
　よって、本件の発明の詳細な説明の記載は、当業者がその実施をすることができる程度に明確かつ十分に記載したものとは言えず、本件発明１についての特許は、特許法第３６条第４項第１号に規定する要件を満たしていない特許出願に対してされたものである。
　さらに、申立人は令和　３年　１月１８日差出の意見書で以下のとおり主張している。
（エ）訂正発明６は、成分ＡおよびＢについて、質量含有比Ａ：Ｂの条件を満たしさえすれば、あらゆる成分ＡまたはＢの含有量のものを含んでおり、また、成分ＡおよびＢに該当する成分はそれぞれ膨大にある。しかしながら、これらのあらゆる組成物においてまで、本件特許の効果が得られるとは到底理解できない。たとえば、成分ＡまたはＢの含有量が極めて少ないもの；成分Ａの含有量が極めて多いもの；ならびに成分Ｂとしてあらゆる成分を用いたものにおいてまで、本件特許における所期の効果が得られることは示されておらず、本件特許明細書全体の記載および出願時の技術常識を考慮してもかかる効果が得られるかどうかが全く明らかでない。
イ　検討
（ア）本件特許明細書に記載された事項
ａ　「【０００７】
　本発明は、保存安定性（乳化安定性）に優れ、尚且つ、コクのある使用感を有しながら、べたつきのない滑らかな肌触り感を付与し、優れた保湿効果を発揮する皮膚用乳化組成物を提供することを課題とする。
【０００８】
　本発明者は、鋭意検討した結果、室温で固形状の脂肪酸エステル油と、室温で液状であり、且つ、分岐鎖構造を有する脂肪酸エステル油と、非イオン性界面活性剤と、室温で固形状のポリエチレングリコールとを併用することにより、上記課題を解決できることを見出し、本発明の完成に至った。」
ｂ　「【００１９】
　［成分Ａ］ 成分Ａは、室温で固形状の脂肪酸エステル油である。成分Ａとしては、例えば、直鎖脂肪酸と直鎖高級アルコールとのエステル油、直鎖脂肪酸と多価アルコールとのエステル油等が挙げられる。
【００２０】
　上記直鎖脂肪酸としては、特に限定されないが、炭素数１２〜２２の飽和の直鎖脂肪酸が好ましく、……
【００２１】
　上記直鎖高級アルコールとしては、特に限定されないが、炭素数１２〜２２の飽和の直鎖高級アルコールが好ましく、……
【００２２】
　上記多価アルコールとしては、特に限定されないが、
……
【００２４】
　上記成分Ａは、コクのある使用感を有し、優れた保湿効果を発揮させる観点から、直鎖脂肪酸と直鎖高級アルコールとのエステル油を用いるが好ましく、中でも、炭素数１２〜２２の直鎖飽和脂肪酸と炭素数１２〜２２の直鎖飽和高級アルコールとのエステル油がより好ましく、ステアリン酸ステアリル、ミリスチン酸セチルがさらに好ましい。
……
【００２６】
　成分Ａの含有量は、特に限定されないが、コクのある使用感を有し、優れた保湿効果を発揮させる観点から、本発明の皮膚用乳化組成物１００質量％中、１．０〜２．５質量％が好ましく、より好ましくは１．５〜２．０質量％である。上記成分Ａの含有量は、本発明の皮膚用乳化組成物中の全ての成分Ａの含有量の合計量である。
ｃ「【００２７】
　［成分Ｂ］ 成分Ｂは、室温で液状であり、且つ、分岐鎖構造を有する脂肪酸エステル油である。成分Ｂとしては、例えば、分岐脂肪酸と多価アルコールとのエステル油、分岐脂肪酸と分岐高級アルコールとのエステル油、分岐脂肪酸と直鎖高級アルコールとのエステル油、直鎖脂肪酸と分岐高級アルコールとのエステル油等が挙げられる。
【００２８】
　上記分岐脂肪酸としては、特に限定されないが、炭素数８〜１８の飽和又は不飽和の分岐鎖脂肪酸が好ましく、……
【００２９】
　上記直鎖脂肪酸としては、特に限定されないが、炭素数１２〜２２の飽和又は不飽和の直鎖脂肪酸が好ましく、……
【００３０】
　上記多価アルコールとしては、特に限定されないが、……
【００３１】
　上記分岐高級アルコールとしては、特に限定されないが、炭素数８〜２２の飽和又は不飽和の分岐高級アルコールが好ましく、……
【００３２】
　上記直鎖高級アルコールとしては、特に限定されないが、炭素数１２〜２２の飽和又は不飽和の直鎖高級アルコールが好ましく、……
【００３７】
　上記成分Ｂは、べたつきのない滑らかな肌触り感を付与し、優れた保湿効果を発揮させる観点から、分岐脂肪酸と多価アルコールとのエステル油、及び／又は分岐脂肪酸と分岐高級アルコールとのエステル油を用いるが好ましく、中でも、炭素数８〜１８の分岐飽和脂肪酸と多価アルコールとのエステル油、炭素数８〜１８の分岐飽和脂肪酸と炭素数１２〜２２の分岐飽和高級アルコールとのエステル油がより好ましい。
……
【００４０】
　成分Ｂの含有量は、特に限定されないが、べたつきのない滑らかな肌触り感を付与し、優れた保湿効果を発揮させる観点から、本発明の皮膚用乳化組成物１００質量％中、２．５〜１５．０質量％が好ましく、より好ましくは５．０〜１０．０質量％である。上記成分Ｂの含有量は、本発明の皮膚用乳化組成物中の全ての成分Ｂの含有量の合計量である。」
ｄ　「【００４１】
　特に、本発明は、上記成分Ａと成分Ｂとを併用することで、コクのある使用感を有しながら、べたつきのない滑らかな肌触り感を付与し、優れた保湿効果を発揮することができる。さらには、高級アルコールを配合した乳化組成物において懸念された経時的な粘度上昇がなく、乳化組成物に優れた保存安定性（乳化安定性）を付与することができる。
【００４２】
　上記成分Ａと成分Ｂとの質量含有比は、特に限定されないが、格段に優れた「コクのある使用感」、「べたつきのない滑らかな肌触り感」、「保湿効果」を発揮させる観点から、Ａ：Ｂ＝１：２〜１：１０の比で調製することが好ましく、より好ましくは、１：２．５〜１：６．５である。成分Ａの比が大きすぎると、肌上での延展性に劣り、肌になじみ難い傾向がある。また、成分Ｂの比が大きすぎると、コクのある使用感が得られ難い傾向がある。」
ｅ「【００４３】
　［成分Ｃ］ 成分Ｃは、非イオン性界面活性剤である。本発明の皮膚用乳化組成物は、非イオン性界面活性剤を乳化剤として含有する。
【００４４】
　上記成分Ｃとしては、特に限定されないが、……
【００５２】
　成分Ｃの含有量は、特に限定されないが、優れた保存安定性（乳化安定性）を付与する観点から、本発明の皮膚用乳化組成物１００質量％中、１．０〜３．０質量％が好ましく、より好ましくは１．５〜２．５質量％である。上記成分Ｃの含有量は、本発明の皮膚用乳化組成物中の全ての成分Ｃの含有量の合計量である。」
ｆ「【００５３】
　［成分Ｄ］ 成分Ｄは、室温で固形状のポリエチレングリコールである。本発明の皮膚用乳化組成物は、室温で固形状のポリエチレングリコールを含有することで、べたつきのない滑らかな肌触り感を更に高めることができる。成分Ｄとしては、特に限定されないが、例えば、数平均分子量（Ｍｎ）１０００以上のポリエチレングリコールが挙げられる。
……
【００５７】
　成分Ｄの含有量は、特に限定されないが、べたつきのない滑らかな肌触り感を更に高める観点から、本発明の皮膚用乳化組成物１００質量％中、０．３〜２．５質量％が好ましく、より好ましくは０．５〜２．０質量％である。上記成分Ｄの含有量は、本発明の皮膚用乳化組成物中の全ての成分Ｄの含有量の合計量である。」
ｇ「【００５８】
　［成分Ｅ］ 本発明の皮膚用乳化組成物は、製剤の粘度安定性及び乳化安定性を高める観点から、成分Ｅの増粘性高分子をさらに含有することが好ましい。増粘性高分子としては、水溶性を有する天然高分子、半合成高分子、合成高分子等が挙げられる。
……
【００６３】
　成分Ｅの含有量は、特に限定されないが、良好な製剤の粘度安定性及び乳化安定性を付与する観点から、本発明の皮膚用乳化組成物１００質量％中、０．０５〜０．５質量％が好ましく、より好ましくは０．１〜０．３質量％である。上記成分Ｅの含有量は、本発明の皮膚用乳化組成物中の全ての成分Ｅの含有量の合計量である。」
ｈ「【００６４】
　［その他の成分］ 本発明の皮膚用乳化組成物には、上記成分Ａ〜Ｅ以外の成分（その他の成分）を目的に応じて適宜配合してもよい。……」
ｉ「【００７１】
（試料の調製）
表１及び２に記した組成に従い、実施例及び比較例の皮膚用乳化組成物を調製し、下記評価試験に供した。結果をそれぞれ表１及び表２に併記する。
……
【００７３】
（試験例１；保存安定性の評価）
　実施例及び比較例で得られた各試料の調製直後の粘度（２５℃）を測定した。次いで、各試料を透明ガラス容器に充填し、４５℃の恒温槽に２週間保管後の各試料の粘度を測定した。保管後の粘度値と調製直後の粘度値から、各試料の粘度変動率（％）を下記の如く算出し、保存安定性を以下の評価基準に従って評価した。
　なお、粘度測定には、ＴＶ−２２型粘度計（東機産業株式会社製）を用い、Ｎｏ．４ローター、３０ｒｐｍ、１ｍｉｎの条件下で測定した。
【００７４】
　粘度変動率は、調製直後の試料の粘度値（Ｔ０）及び保管後の試料の粘度値（Ｔ１）を下記式に代入して算出した。
［粘度変動率（％）］＝（Ｔ１／Ｔ０）×１００
　試料の粘度変動率が１００前後であれば、保管後に粘度変動が生じておらず保存安定性に優れていると言える。
【００７５】
＜保存安定性の評価基準＞
◎：粘度変動率（％）が、８０％以上１２０％未満である
○：粘度変動率（％）が、７０％以上８０％未満、若しくは、１２０％以上１３０％未満である
△：粘度変動率（％）が、６０％以上７０％未満、若しくは、１３０％以上１４０％未満である
×：粘度変動率（％）が、６０％未満、若しくは、１４０％以上である
【００７６】
（試験例２；使用感の評価）
　実施例及び比較例で得られた各試料約０．２ｇを手の甲に塗布し、塗布時の「コク」、並びに、塗布５分後の塗布部分の「肌触り」及び「保湿感」について、下記の評点基準に則って官能評価を行い、下記評価基準に従って判定した。１０名の専門評価員が実施した。
【００７７】
　＜コクの評点基準＞
　２点：コクのある使用感（濃度の高い感触が得られるような使用感）を十分に感じることができる
　１点：コクのある使用感（濃度の高い感触が得られるような使用感）を感じることができる
　０点：コクのある使用感（濃度の高い感触が得られるような使用感）を全く感じることができない
【００７８】
　＜肌触りの評点基準＞
　２点：べたつきのない滑らかな肌触り感を十分に感じることができる
　１点：べたつきのない滑らかな肌触り感を感じることができる
　０点：べたつきのない滑らかな肌触り感を全く感じることができない
【００７９】
　＜保湿感の評点基準＞
　２点：保湿効果を十分に感じることができる
　１点：保湿効果を感じることができる
　０点：保湿効果を全く感じることができない
【００８０】
　＜評価基準＞
　◎：評点平均値が、１．５点以上である
　○：評点平均値が、１．０点以上、１．５点未満である
　△：評点平均値が、０．５点以上、１．０点未満である
　×：評点平均値が、０．５点未満である
【００８１】
【００８２】
」
（イ）検討
　本件特許の課題は、「保存安定性（乳化安定性）に優れ、尚且つ、コクのある使用感を有しながら、べたつきのない滑らかな肌触り感を付与し、優れた保湿効果を発揮する皮膚用乳化組成物を提供すること」である（段落【０００７】）。
　そして、本願の発明の詳細においては、必須の成分Ａ〜Ｄについての説明がされ、各成分の含有量の記載もされており（上記ｂ〜ｉ）、さらに、任意の成分について、配合できることも具体的に記載されている（上記ｈ）。
　また、複数種のＡ〜Ｄ成分を組み合わせた実施例が記載されているとともに（上記ｉにおける【表１】）、必須の成分を欠いた比較例が記載され、これらの対比から、実施例の範囲において、課題を達成していることが理解できる（上記ｉにおける【表２】）。
　ここで、本件発明６〜８、１０は、成分ＡとＢの質量含有比でのみ特定されており、他の成分の含有量は何ら規定されていない。また、本件発明９については、成分ＡとＢの含有量は規定されているもののその他の成分の含有量は何ら規定されていない。
　まず、成分についての含有量の規定がないことに起因して、申立人は成分ＡまたはＢの含有量が極めて少ない場合もしくは極めて多い場合に本件特許における所期の効果が得られるかどうかについて不明である旨主張しているが（上記ア（ア）及び（エ））、成分Ａと成分Ｂとの質量含有比が特定する範囲であれば、含有量に応じて効果が発揮されるといえるし、また、一般に、皮膚用の乳化組成物は、乳化が成立するためある程度の量の油分を含むものであり、当業者であれば、当該乳化組成物であればどの程度の油分を含むのか理解できるから、成分ＡとＢの含有量が規定されていないからといって、サポート要件及び実施可能要件を満たしていないとはいえず、申立人の主張は採用できない。
　また、申立人は成分Ａと成分Ｂについて成分ＡおよびＢに該当する成分はそれぞれ膨大にあるのに特定されていない点について主張しているものの（上記ア（イ）及び(エ））、Ａ成分は、構造的にも脂肪酸エステル油を特定した上で、物理的な性質でも特定するものであり、また、Ｂ成分も分岐鎖構造を有する脂肪酸油であり、かつ、物理的な性質で特定されるものだから、ある範囲の化合物群に限られており、どのような化合物が含まれるのか見当がつかないほどの膨大なものというわけではない。また、本願の発明の詳細な説明においては、成分Ａ及びＢについて、使用可能な化合物が具体的に記載されている上（上記ｂ〜ｈ）、実施例でも複数種類のＡ成分、Ｂ成分を用いた結果が記載されているから、特定された成分Ａ、成分Ｂであれば、同様の効果を奏するであろうことが理解できるから、成分ＡとＢの種類が十分に特定されていないからサポート要件及び実施可能要件を満たしていないとする申立人の主張は採用できない。
　さらに、申立人は成分Ａ〜Ｄ以外の成分の有無やその含有量について規定されていない点について主張しているものの（上記ア（ウ））、皮膚用乳化組成物において、乳化状態を損なわない範囲で、任意の成分を適宜配合し得ることは、本願特許明細書の段落【００６４】の記載や実施例、さらに技術常識からも理解できるから、成分Ａ〜Ｄ以外の成分及びその含有量の規定がないからといって、本件発明６〜１０が、サポート要件及び実施可能要件を満たさないとすることはできず、申立人の主張は採用できない。
　そうすると、本願の発明の詳細な説明及び本願出願時の技術常識に照らしてみれば、本件発明６〜１０は、サポート要件及び実施可能要件を満たすものである。
ウ　以上のとおり、申立理由３及び申立理由４は理由がない。
（２）　申立理由５（特許法第３６条第６項第２号）について
ア　申立理由の概要
　請求項１において、成分Ａの定義および範囲が明確でない。成分Ａが「直鎖脂肪酸と直鎖高級アルコールとのエステル油及び直鎖脂肪酸とペンタエリスリトールとのエステル油の少なくとも１種であって、室温で固形状の脂肪酸エステル油」である一方、本件特許明細書に「その他成分」として記載されている「ミツロウなどのロウ類」（段落００６４）は成分Ａを含むから（甲第７号証、第３４頁）、これらは重複する成分を含んでおり、成分Ａの定義および範囲が不明である。
　請求項１を引用する請求項２〜６についても同様である。
　よって、本件の特許請求の範囲の記載には不備があり、本件発明１〜６についての特許は、特許法第３６条第６項第２号に規定する要件を満たしていない特許出願に対してされたものである（特許法第１１３条第４号）。
イ　検討
　上記申立理由について検討する。
　本件発明６は
「下記成分Ａ、成分Ｂ、成分Ｃ、及び成分Ｄを含有することを特徴とする皮膚用乳化組成物であって、
　前記成分Ａと前記成分Ｂの質量含有比が、Ａ：Ｂ＝１：２〜１：１０であり、
　高級アルコールを含まないか、又は高級アルコールを含み且つ高級アルコールの含有量が０．５質量％以下である皮膚用乳化組成物。
　成分Ａ：直鎖脂肪酸と直鎖高級アルコールとのエステル油及び直鎖脂肪酸とペンタエリスリトールとのエステル油の少なくとも１種であって、室温で固形状の脂肪酸エステル油
　成分Ｂ：室温で液状であり、且つ、分岐鎖構造を有する脂肪酸エステル油
　成分Ｃ：非イオン性界面活性剤
　成分Ｄ：室温で固形状のポリエチレングリコール」である。
　そして、成分Ａ〜Ｄの定義は明確であるから、成分Ａ〜Ｄ及び高級アルコールにより規定される本件発明６は明確であり、また、明細書の段落【００６４】の記載があったとしても第三者に不測の不利益をもたらすほどのものではない。
　このことは、本件発明７〜１０についても同様である。
ウ　以上のとおり、申立理由５は理由がない。
（３）まとめ
　よって、申立理由３〜５は理由がない。
　
第６　むすび
　以上のとおりであるから、取消理由通知に記載した取消理由及び特許異議申立書に記載した特許異議申立によっては、本件の請求項６〜１０に係る特許を取り消すことはできない。
　また、他に本件の請求項６〜１０に係る特許を取り消すべき理由を発見しない。
　本件の請求項１〜５に係る特許は、訂正により削除され、特許異議の申立ての対象となる請求項が存在しないものとなったから、特許法第１２０条の８第１項において準用する同法第１３５条の規定により却下する。
　よって、結論のとおり決定する。
【異議決定日】
令和３年３月３１日（２０２１．３．３１）
【訂正の要旨】
審決（決定）の【理由】欄参照。
（５７）【特許請求の範囲】
　【請求項１】
（削除）
　【請求項２】
（削除）
　【請求項３】
（削除）
　【請求項４】
（削除）
　【請求項５】
（削除）
　【請求項６】
　
下記成分Ａ、成分Ｂ、成分Ｃ、及び成分Ｄを含有することを特徴とする皮膚用乳化組成物であって、
　
前記成分Ａと前記成分Ｂの質量含有比が、Ａ：Ｂ＝１：２〜１：１０であり、
　高級アルコールを含まないか、又は高級アルコールを含み且つ高級アルコールの含有量が０．５質量％以下であ
る皮
　
成分Ａ：直鎖脂肪酸と直鎖高級アルコールとのエステル油及び直鎖脂肪酸とペンタエリスリトールとのエステル油の少なくとも１種であって、室温で固形状の脂肪酸エステル油
　
成分Ｂ：室温で液状であり、且つ、分岐鎖構造を有する脂肪酸エステル油
　
成分Ｃ：非イオン性界面活性剤
　
成分Ｄ：室温で固形状のポリエチレングリコール
　【請求項７】
　
前記成分Ａが、直鎖脂肪酸と直鎖高級アルコールとのエステル油である請求項６に記載の皮膚用乳化組成物。
　【請求項８】
　
前記成分Ｂが、分岐脂肪酸と多価アルコールのエステル油、及び／又は分岐脂肪酸と分岐高級アルコールのエステル油である請求項６又は７に記載の皮膚用乳化組成物。
　【請求項９】
　
前記成分Ａの含有量が、皮膚用乳化組成物１００質量％中、１．５〜２．５質量％であり、前記成分Ｂの含有量が、皮膚用乳化組成物１００質量％中、２．５〜１５．０質量％である請求項６〜８の何れか一項に記載の皮膚用乳化組成物。
　【請求項１０】
　
さらに下記成分Ｅを含有することを特徴とする請求項６〜９の何れか一項に記載の皮膚用乳化組成物。
　
成分Ｅ：増粘性高分子